(57)【特許請求の範囲】
【請求項１】
裁断されたままの状態で縁始末不要な縁を有し、且つ編み方向に対しほぼ直角の方向に伸縮パワーが変化する領域とを同時に１枚の編地中に有し、当該伸縮パワーの切り替えラインが直線状である伸縮性の経編地からなる部片を、衣料を構成する生地の少なくとも一部に用いた衣料上端又は下端の縁の少なくとも一方の縁が当該裁断されたままの状態で縁始末不要な縁からなる体形補整機能を有する衣料であって、当該部片の前記伸縮パワーが変化する領域の伸縮パワーの切り替えラインの方向と、当該衣料の縁始末不要な裁断されたままの状態の縁のラインのうち少なくとも一つの縁のラインの方向とが、相互に非平行である部片を用いてなる体形補整機能を有する衣料。
【請求項２】
伸縮パワーが変化する領域が、（ａ）編み込む弾性糸の太さが異なる複数の領域を形成する方式、（ｂ）編み込む弾性糸の本数が異なる複数の領域を形成する方式、（ｃ）前記（ａ）又は（ｂ）の各領域の幅を変化させる方式、（ｄ）前記（ａ）、（ｂ）、（ｃ）の方式の少なくとも２つ以上を組み合わせた方式のいずれかの方式により形成された請求項１に記載の体形補整機能を有する衣料。
【請求項３】
衣料上端又は下端の縁の少なくとも一方の裁断されたままの状態で縁始末不要な縁の部分に、前記直線状の伸縮パワーの切り替えラインが到達していて、当該縁始末不要な縁が、伸縮パワーが強い部分と弱い部分が混在する縁である請求項１又は２のいずれかに記載の体形補整機能を有する衣料。
【請求項４】
衣料上端又は下端の縁の少なくとも一方の裁断されたままの状態で縁始末不要な縁が、当該編地の編み方向に対し、２０〜８０度の角度で裁断された縁である請求項３に記載の体形補整機能を有する衣料。
【請求項５】
裁断されたままの状態で縁始末不要な縁からなる衣料上端又は下端の縁の少なくとも一方の縁が、当該編地の編み方向に対し、４０〜５０度の角度で裁断された縁である請求項３に記載の体形補整機能を有する衣料。
【請求項６】
裁断されたままの状態で縁始末不要な縁が、衣料の裾であり、且つ当該裾の縁ラインの方向と、当該部片の伸縮パワーが変化する領域の伸縮パワーの切り替えラインの方向とが相互に非平行である請求項１または２のいずれかに記載の体形補整機能を有する衣料。
【請求項７】
衣料が、衣料全体が身体に密着するヒップ部を有する衣料である請求項１又は２のいずれかに記載の体形補整機能を有する衣料。
【請求項８】
衣料が、ショーツ、ガードル、ボディスーツ、レオタード、水着から選ばれたヒップ部を有する衣料である請求項１又は２のいずれかに記載の体形補整機能を有する衣料。
【請求項９】
伸縮性の経編地からなる前記部片が、ヒップ部もしくはヒップ部と脇部を充当するヒップ部充当部片、前脇部とヒップ部ならびにその両者間の脇部を充当する前脇−脇−後充当部片から選ばれた部片である請求項１又は２のいずれかに記載の体形補整機能を有する衣料。
【請求項１０】
衣料が、ショーツ又はガードルであり、当該ショーツ又はガードルの裾部及びウェストライン部が裁断されたままの状態で縁始末不要な縁からなり、当該裾部、ウェストライン部から選ばれたいずれか一方の縁のラインの方向が、当該部片の当該伸縮パワーが変化する領域の伸縮パワーの切り替えラインの方向と相互に非平行である請求項９に記載の体形補整機能を有する衣料。
【請求項１１】
衣料が、ショーツ又はガードルであり、当該ショーツ又はガードルの裾部及びウェストライン部が裁断されたままの状態で縁始末不要な縁からなり、当該裾部、ウェストライン部の縁のラインの方向のいずれもが、当該部片の当該伸縮パワーが変化する領域の伸縮パワーの切り替えラインの方向と相互に非平行である請求項９に記載の体形補整機能を有する衣料。
【請求項１２】
衣料が、ショーツ又はガードルであり、当該ショーツ又はガードルの少なくとも後側のウェストライン部が裁断されたままの状態で縁始末不要な縁からなり、前記後側のウェストラインの一部を底辺とし、後中心線の下方に頂点を有していて後中心線で左右ほぼ線対称の逆三角形状の領域が伸縮パワーの強い領域からなり、前記逆三角形状の領域の底辺の長さが、前記後側のウェストラインの長さの１／４〜２／３の長さであり、前記逆三角形状の領域のウェストラインから前記逆三角形の頂点までの後中心線上における長さが、当該ショーツ又はガードルのウェストラインからクロッチ部までの後中心線の長さの１／４〜２／３の長さである請求項１又は２に記載の体形補整機能を有する衣料。
【請求項１３】
衣料が、ショーツ又はガードルであり、伸縮性の経編地からなる前記部片の伸縮パワーの弱い領域が、ヒップの膨らみ部をカバーし、当該部片の伸縮パワーの強い領域がヒップの膨らみの脇側から下方を充当するように、伸縮パワーの切り替えラインがヒップの脇側から後中心側に向かって斜めに下がる向きのラインとなっている請求項９に記載の体形補整機能を有する衣料。
【請求項１４】
衣料が、ブラジャーである請求項１又は２のいずれかに記載の体形補整機能を有する衣料。
【請求項１５】
衣料が、ブラジャーであって、ブラジャーのバック布が、伸縮性の経編地からなる前記部片からなり、当該バック布の上下の縁が、裁断されたままの状態で縁始末不要な縁からなっており、前記バック布の伸縮パワーの切り替えラインの方向が前記バック布の上または下のいずれか一方の縁のラインの方向と相互に非平行となっている請求項１又は２のいずれかに記載の体形補整機能を有する衣料。
【請求項１６】
衣料が、ブラジャーであって、ブラジャーのバック布が、伸縮性の経編地からなる前記部片からなり、当該バック布の上下の縁が、裁断されたままの状態で縁始末不要な縁からなっており、前記バック布の伸縮パワーの切り替えラインの方向が、前記バック布の上下両方の縁のラインの方向と相互に非平行となっている請求項１又は２のいずれかに記載の体形補整機能を有する衣料。
【請求項１７】
裁断されたままの状態で縁始末不要な縁からなる衣料上端の縁が、ショーツ又はガードルのウェストライン部の少なくとも一部又はブラジャーのバック布の上側の縁であり、また、裁断されたままの状態で縁始末不要な縁からなる衣料下端の縁が、ショーツ又はガードルの裾部又はブラジャーのバック布の下側の縁である請求項４に記載の体形補整機能を有する衣料。
【請求項１８】
非弾性糸として、ブライト糸とダル糸を使用し、ブライト糸を編み込んだ部分とダル糸を編み込んだ部分を編み分けにより形成し、所望箇所にブライト糸とダル糸の光沢の差異による、線状ないし帯状の目視可能な模様が形成された請求項１又は２のいずれかに記載の体形補整機能を有する衣料。
【請求項１９】
弾性糸の太さ、編み込み本数の少なくともいずれかを変えた伸縮パワーの異なる複数の領域の各領域に同時に編み込まれている非弾性糸を、それぞれブライト糸とダル糸を使い分けて使用することにより、伸縮パワーの相違部分を目視可能な模様部分にしてなる請求項１８に記載の体形補整機能を有する衣料。
【請求項２０】
裁断されたままの状態で縁始末不要な縁を有し、且つ編み方向に対しほぼ直角の方向に伸縮パワーが変化する領域とを同時に１枚の編地中に有する伸縮性の経編地からなる部片を構成する生地が、非弾性糸と弾性糸とを同行させた１×１編み組織であって、かつ各編針において非弾性糸と弾性糸のうちの少なくとも１方が閉じ目により編成された伸縮性経編地からなる請求項１又は２のいずれかに記載の体形補整機能を有する衣料。
【請求項２１】
前記伸縮性経編地が、１８０℃以上の温度においてプレセット、ヒートセットから選ばれた少なくとも１種のセットが施されている伸縮性経編地である請求項２０に記載の体形補整機能を有する衣料。
【請求項２２】
前記伸縮性経編地が、２．５４ｃｍ（１インチ）当たり６５ウエールを超える密度に編成されている伸縮性経編地である請求項２０に記載の体形補整機能を有する衣料。
【請求項２３】
断裁されたままの状態で縁始末不要な縁が、前記の伸縮性経編地の編み方向に対し４５度を超えない範囲の角度で裁断されている縁である請求項２０に記載の体形補整機能を有する衣料。
【発明の詳細な説明】
技術分野
本発明は、裁断されたままの状態で縁始末不要な縁を有し且つ体形補整機能を有する衣料に関する。
背景技術
従来より、例えば、衣料の裾部などの縁は、裁断したままの状態では、縁部が解れてしまうので、解れを防止するために、何らかの縁始末をする必要があった。この始末のことを、縁始末をする、ヘミングなどと称し、その方法は部位や素材によって様々であって、例えば、図３６にその断面模式図で示したように、布端１２０を折り返して２重にし縫合（１２１、１２２は縫合ライン）したり、図３７にその断面模式図で示したように、別布やテープ状物１３１を断面略Ｕ字状に生地の縁部１３０に被せて縫合（１３２、１３３は縫合ライン）するなど、縁始末がされているのが一般的である。しかし、この作業は衣類の縫製において可成りの負担であり、しかもこのように縁始末を施すと、その部分が厚くなり、タイトなアウターウェアーをその上に着用した場合など、下着の縁ラインが凸条になって外衣に現れ、外観を損なったり、分厚くなった縁部が着用感を損なうなどの問題になっている。
そこで、近年、例えば縁始末不要な裾を有するガードルなど、縁始末不要な生地の当該縁部がガードル裾部になるように、縁始末不要な生地からなる部片を少なくとも当該衣料を構成する生地の少なくとも一部に用いた衣料が使用されてきている。また、身体に密着して着用し、体形補整機能を付与した衣料についても、伸縮パワーを強くしたい部分に、他の当て布をあてがうのではなく、伸縮パワーを強くしたい部分に、編み込まれるか、又は、挿入される弾性糸の太さを太くしたり、同じウェールに編み込まれるか、又は、挿入される弾性糸の本数を多くしたり、当該弾性糸の編み込まれるか、又は、挿入される領域の幅を大きくしたりすることによって、当て布を用いた場合の様に段差を生じさせることなく、ヒップアップ機能などの、体形補整機能を付与する方法も採用されてきている。
ところで、縁始末不要な縁を形成するには、通常、いわゆる糸抜きなどの手法が用いられる（例えば、日本特開２０００−３０３３３１号の［００２０］の説明や図２参照）。従って、編み込んだ糸を抜くことによって、その部分を境にして、編地を２分し、当該２分された対向するそれぞれの縁の部分が、縁始末不要な縁となる。それ故、縁始末不要な縁は、糸の供給方向、すなわち、編み方向に実質上平行なラインの縁とならざるを得ない。当該生地の上下の縁を共に縁始末不要な縁とする場合も、共に編み方向に平行なラインの縁とならざるを得ない。
一方、上述したように、伸縮パワーを強くしたい部分に、太い弾性糸を編み込むなどの手法によって、弾性糸により伸縮パワーの異なる複数の領域を形成する場合も、太い弾性糸を編み込むなどの手段で当該領域を形成するのであるから、前記伸縮パワーの切り替えラインの方向は、糸の供給方向、すなわち、編み方向にほぼ平行な実質上直線ラインに沿った方向にならざるを得ないのが通常である。仮に、弾性糸でなく、編み込む非弾性糸の太さや、編み込み本数（２本以上同時にひきそろえて糸を供給する）を切り替えて、伸縮パワーの異なる複数の領域を形成する場合も、同様に、太いまたは細い非弾性糸、あるいは糸の編み込み本数を所定本数に調整して編み込むなどの手段で各伸縮パワーの異なる領域を形成するのであるから、非弾性糸の使い分けにより伸縮パワーの変化した領域を形成する場合も、伸縮パワーの切り替えラインの方向は、糸の供給方向、すなわち、編み方向にほぼ平行な実質上直線ラインに沿った方向にならざるを得ないし、弾性糸と非弾性糸の両者を同時に使い分けて伸縮パワーの変化した領域を形成する場合も、同様である。
従って、１枚の編地中に、伸縮パワーの変化する領域を形成すると共に、同時に１枚の同じ編地中に縁始末不要な縁を形成する場合には、伸縮パワーの変化する領域の伸縮パワーの切り替えラインの方向と、縁始末不要な縁のラインの方向とが、実質上平行な方向を向いた生地とならざるを得ない。
図３４に、一モデルサンプルとして、上述した、従来法により、１枚の編地中に、弾性糸の使用により伸縮パワーの変化する領域を形成すると共に、同時に１枚の同じ編地中に縁始末不要な縁を形成したものを、適宜の形状に裁断した、衣料の一部を構成する部片の模式的平面図を示した。尚この部片の形状は、単に、説明のために取り上げた形状であり、ある特定の衣料の部片に適用する厳密な形状ではない。しかし例えば、ある種のショートガードルの前脇から脇をカバーし背部のヒップ部をカバーするための右側の部片に近い形状の部片を説明用のモデルとして採用したものである。図の左側が、後中心側となる。後述する図１２〜図１６、図３５も同様の趣旨の図面である。
図３４に示した編地１００は、１０１の縁が、縁始末不要な縁であり、１０３が伸縮パワーの変化する領域（例えば、太い弾性糸が編み込まれて伸縮パワーが強められた領域）、１０２が上縁であり、伸縮パワーの変化する領域１０３の伸縮パワーの切り替えラインの方向１０５と、縁始末不要な縁１０１の方向１０４とは平行になっている。尚、この編地の編み方向は、１０５の矢印で示された方向である。そして、仮に上縁１０２ラインの方向１０６を、伸縮パワーの変化する領域１０３の伸縮パワーの切り替えラインの方向１０５や、縁始末不要な縁１０１の方向１０４とは異なる図示した様な１０６の方向の形にしようとすると、上縁１０２は、縁始末不要な縁とすることはできず、２重に折り返して縫合するなど、図３６や図３７で説明したように、縁始末（ヘミング）を必要とする縁になる。
図３５に、別の一モデルサンプルとして、従来法により、１枚の編地中に、伸縮パワーの変化する領域を形成すると共に、同時に１枚の同じ編地中に縁始末不要な縁を形成したものを、適宜の形状に裁断した、衣料の一部を構成する部片の模式的平面図を示した。
図３５に示した編地１００は、１０１の縁が、縁始末不要な縁であり、しかも、スカラップ状に波形形状になっている。このスカラップ状の縁始末不要な縁は、例えば日本特許第３０９９０８５号などの手法によって実現可能である。
そしてこの場合も伸縮パワーの変化する領域１０３（例えば、太い弾性糸が編み込まれて伸縮パワーが強められた領域）を設ける場合には、伸縮パワーの変化する領域１０３の伸縮パワーの切り替えラインの方向１０５と、縁始末不要な縁１０１の方向１０４とは実質上平行になっている。縁始末不要な縁１０１のスカラップ状部分は波形形状の曲線であるが、その波の進行方向に相当する全体としての縁１０１の方向は、矢印１０４の方向と言える。光は波動するが、全体として直線で進行方向を描いているのと同じ扱い方である。矢印１０４は、縁始末不要な縁１０１のスカラップ状の波の頂点を結ぶ接線ラインをもって全体としての方向としたが、波を上下に分割する中央線をもってしても全体としての方向が示せる。すなわち、縁始末不要な縁１０１をスカラップ状にしても、その全体としての方向１０４と、伸縮パワーの変化する領域１０３の境界ラインの方向１０５とは、実質上平行になっている。尚、この編地の編み方向は、１０５の矢印で示された方向である。そして、仮に上縁１０２ラインの方向１０６を、伸縮パワーの変化する領域１０３の伸縮パワーの切り替えラインの方向１０５や、縁始末不要な縁１０１の方向１０４と異なる図示した様な１０６の方向の形にしようとすると、上縁１０２は、縁始末不要な縁とすることはできず、２重に折り返して縫合するなど、図３６や図３７で説明したように、縁始末を必要とする縁になる。
以上、図３４や図３５では、説明を簡単にするために、弾性糸の使い分けによる、伸縮パワーの切り替えの例を挙げて説明したが、前述の如く、仮に、編み込む非弾性糸の太さや、編み込み本数（２本以上同時にひきそろえて糸を供給する）を切り替えて、伸縮パワーの異なる複数の領域を形成する場合の如く、非弾性糸の使い分けにより伸縮パワーの変化した領域を形成する場合も、あるいは、弾性糸と非弾性糸の両者を同時に使い分けて伸縮パワーの変化した領域を形成する場合も、同様である。
また、図示していないが、伸縮パワーの変化する領域１０３の伸縮パワーの切り替えラインの方向１０５と、縁始末不要な縁１０１の方向１０４とを非平行にしようとすると、縁部を目的の方向になるように裁断せざるを得ず、裁断した裁ち端は、そのままではほつれが生ずるので、図３６や図３７などで説明したように、縁始末を施した縁とせざるを得なくなる。すなわち縁始末不要な縁とすることはできなくなる。また、仮に上縁１０２を縁始末不要な縁とする場合にも、上縁１０２のラインの方向１０６を伸縮パワーの変化する領域１０３の伸縮パワーの切り替えラインの方向１０５と平行にせざるを得ないのが実状である。
従って、従来は、弾性糸などによる伸縮パワーの変化する領域を、目的の体形補整を行うに好適な角度で配置すると、縁始末不要な縁の方向を自由に変えることはできず、裾ラインやウェストラインの縁などを縁始末不要な縁とする場合には、その方向が制限され、伸縮パワーの変化する領域の方向とは関係なしに当該衣料の最適な設計の裾ラインやウェストラインとすることはできないと言う問題がある。
更に、縁始末不要な縁からなる裾ライン又はウェストラインの方向を目的とする衣料に最適な方向に設計すると、伸縮パワーの変化する領域の方向を、自由に変えることはできず、目的の体形補整を行うに好適な角度で配置することができないと言うような問題がある。
まして、後述する図１６に示す如く伸縮パワーの変化する領域８３の伸縮パワーの切り替えラインの方向８５と、縁始末不要な縁８２の方向８６とのなす角度αがより大きく、縁始末不要な縁８２の部分に、前記直線状の伸縮パワーの切り替えラインが到達していて、当該縁始末不要な縁８２が、縁始末を行わないままで、伸縮パワーが強い部分と弱い部分が混在する縁を有する衣料は製造不可能であった。
従って、従来の衣料においては、伸縮パワーの変化する領域の方向を、目的の体形補整を行うに好適な角度で配置し、しかも裾ラインないしウェストラインなどの方向も、伸縮パワーの変化する領域の方向にとらわれずに自由に変える場合には、縁部の形状は、目的の形に裁断して、縁始末をしなければならなかった。
本発明は、かかる従来の問題点を解決し、伸縮パワーの変化する領域の伸縮パワーの切り替えラインの方向と、縁始末不要な縁の方向とを、平行にせずに、それぞれのラインを必要に応じた好適な方向に自由に設計し得る衣料を提供することを目的とする。
本発明は、裁断したままでも、裁ち端がほつれずに、裁断したままの状態で縁始末が不要な編地を適宜衣料に応用することによって、本発明の衣料を提供しようとするものである。
発明の概要
前記課題を達成するために、本発明の体形補整機能を有する衣料は次の様な衣料である。
（１）すなわち本発明の体形補整機能を有する衣料は、裁断されたままの状態で縁始末不要な縁を有し、且つ編み方向に対しほぼ直角の方向に伸縮パワーが変化する領域とを同時に１枚の編地中に有し、当該伸縮パワーの切り替えラインが直線状である伸縮性の経編地からなる部片を、衣料を構成する生地の少なくとも一部に用いた衣料上端又は下端の縁の少なくとも一方の縁が当該裁断されたままの状態で縁始末不要な縁からなる体形補整機能を有する衣料であって、当該部片の前記伸縮パワーが変化する領域の伸縮パワーの切り替えラインの方向と、当該衣料の縁始末不要な裁断されたままの状態の縁のラインのうち少なくとも一つの縁のラインの方向とが、相互に非平行である部片を用いてなる体形補整機能を有する衣料である。
（２）前記（１）項記載の体形補整機能を有する衣料においては、伸縮パワーが変化する領域が、（ａ）編み込む弾性糸の太さが異なる複数の領域を形成する方式、（ｂ）編み込む弾性糸の本数が異なる複数の領域を形成する方式、（ｃ）前記（ａ）又は（ｂ）の各領域の幅を変化させる方式、（ｄ）前記（ａ）、（ｂ）、（ｃ）の方式の少なくとも１つ以上を組み合わせた方式のいずれかの方式により形成されていることが好ましい。
（３）また、前記（１）項または（２）項に記載の体形補整機能を有する衣料においては、衣料上端又は下端の縁の少なくとも一方の裁断されたままの状態で縁始末不要な縁部分に、前記直線状の伸縮パワーの切り替えラインが到達していて、当該縁始末不要な縁が、伸縮パワーが強い部分と弱い部分が混在する縁であることが好ましい。
（４）また、前記（１）〜（３）項のいずれかに記載の体形補整機能を有する衣料においては、衣料上端又は下端の縁の少なくとも一方の裁断されたままの状態で縁始末不要な縁が、当該編地の編み方向に対し、２０〜８０度の角度で裁断された縁であることが好ましい。
（５）また、前記（１）〜（３）項のいずれかに記載の体形補整機能を有する衣料においては、裁断されたままの状態で縁始末不要な縁からなる衣料上端又は下端の縁の少なくとも一方の縁が、当該編地の編み方向に対し、４０〜５０度の角度で裁断された縁であることが好ましい。
（６）また、前記（１）項または（２）項に記載の体形補整機能を有する衣料においては、裁断されたままの状態で縁始末不要な縁が、衣料の裾であり、且つ当該裾の縁ラインの方向と、当該部片の伸縮パワーが変化する領域の伸縮パワーの切り替えラインの方向とが相互に非平行であることが好ましい。
（７）また、前記（１）項〜（６）項のいずれかに記載の体形補整機能を有する衣料においては、衣料が、衣料全体が身体に密着するヒップ部を有する衣料であることが好ましい。
（８）また、前記（１）項〜（７）項のいずれかに記載の体形補整機能を有する衣料においては、衣料が、ショーツ、ガードル、ボディスーツ、レオタード、水着から選ばれたヒップ部を有する衣料であることが好ましい。
（９）また、前記（１）項〜（７）項のいずれかに記載の体形補整機能を有する衣料においては、伸縮性の経編地からなる前記部片が、ヒップ部もしくはヒップ部と脇部を充当するヒップ部充当部片、前脇部とヒップ部ならびにその両者間の脇部を充当する前脇−脇−後充当部片から選ばれた部片であることが好ましい。
（１０）また、前記（９）項に記載の体形補整機能を有する衣料においては、衣料が、ショーツ又はガードルであり、当該ショーツ又はガードルの裾部及びウェストライン部が裁断されたままの状態で縁始末不要な縁からなり、当該裾部、ウェストライン部から選ばれたいずれか一方の縁のラインの方向が、当該部片の当該伸縮パワーが変化する領域の伸縮パワーの切り替えラインの方向と相互に非平行であることが好ましい。
（１１）また、前記（９）項に記載の体形補整機能を有する衣料においては、衣料が、ショーツ又はガードルであり、当該ショーツ又はガードルの裾部及びウェストライン部が裁断されたままの状態で縁始末不要な縁からなり、当該裾部、ウェストライン部の縁のラインの方向のいずれもが、当該部片の当該伸縮パワーが変化する領域の伸縮パワーの切り替えラインの方向と相互に非平行であることが好ましい。
（１２）また、前記（１）項〜（１１）項のいずれかに記載の体形補整機能を有する衣料においては、衣料が、ショーツ又はガードルであり、当該ショーツ又はガードルの少なくとも後側のウェストライン部が裁断されたままの状態で縁始末不要な縁からなり、前記後側のウェストラインの一部を底辺とし、後中心線の下方に頂点を有していて後中心線で左右ほぼ線対称の逆三角形状の領域が伸縮パワーの強い領域からなり、前記逆三角形状の領域の底辺の長さが、前記後側のウェストラインの長さの１／４〜２／３、より好ましくは１／３〜１／２の長さであり、前記逆三角形状の領域のウェストラインから前記逆三角形の頂点までの後中心線上における長さが、当該ショーツ又はガードルのウェストラインからクロッチ部までの後中心線の長さの１／４〜２／３、より好ましくは１／３〜１／２の長さであることが好ましい。
（１３）また、前記（９）項〜（１２）項のいずれかに記載の体形補整機能を有する衣料においては、衣料が、ショーツ又はガードルであり、伸縮性の経編地からなる前記部片の伸縮パワーの弱い領域が、ヒップの膨らみ部をカバーし、当該部片の伸縮パワーの強い領域がヒップの膨らみの脇側から下方を充当するように、伸縮パワーの切り替えラインがヒップの脇側から後中心側に向かって斜めに下がる向きのラインとなっていることが好ましい。
（１４）また、前記（１）項〜（６）項のいずれかに記載の体形補整機能を有する衣料においては、衣料が、ブラジャーであることが好ましい。
（１５）また、前記（１）項〜（５）項のいずれかに記載の体形補整機能を有する衣料においては、衣料が、ブラジャーであって、ブラジャーのバック布が、伸縮性の経編地からなる前記部片からなり、当該バック布の上下の縁が、裁断されたままの状態で縁始末不要な縁からなっており、前記バック布の伸縮パワーの切り替えラインの方向が前記バック布の上または下のいずれか一方の縁のラインの方向と相互に非平行となっていることが好ましい。
（１６）また、前記（１）項〜（５）項のいずれかに記載の体形補整機能を有する衣料においては、衣料が、ブラジャーであって、ブラジャーのバック布が、伸縮性の経編地からなる前記部片からなり、当該バック布の上下の縁が、裁断されたままの状態で縁始末不要な縁からなっており、前記バック布の伸縮パワーの切り替えラインの方向が、前記バック布の上下両方の縁のラインの方向と相互に非平行となっていることが好ましい。
（１７）また、前記（４）項〜（５）項のいずれかに記載の体形補整機能を有する衣料においては、裁断されたままの状態で縁始末不要な縁からなる衣料上端の縁が、ショーツ又はガードルのウェストライン部の少なくとも一部又はブラジャーのバック布の上側の縁であり、また、裁断されたままの状態で縁始末不要な縁からなる衣料下端の縁が、ショーツ又はガードルの裾部又はブラジャーのバック布の下側の縁であることが好ましい。
（１８）また、前記（１）項〜（１７）項のいずれかに記載の体形補整機能を有する衣料においては、非弾性糸として、ブライト糸とダル糸を使用し、ブライト糸を編み込んだ部分とダル糸を編み込んだ部分を編み分けにより形成し、所望箇所にブライト糸とダル糸の光沢の差異による、線状ないし帯状の目視可能な模様が形成されている衣料であることが好ましい。
（１９）また、前記（１８）項に記載の体形補整機能を有する衣料においては、弾性糸の太さ、編み込み本数の少なくともいずれかを変えた伸縮パワーの異なる複数の領域の各領域に同時に編み込まれている非弾性糸を、それぞれブライト糸とダル糸を使い分けて使用することにより、伸縮パワーの相違部分を目視可能な模様部分にしてなる衣料であることが好ましい。
（２０）また、前記（１）項〜（１９）項のいずれかに記載の体形補整機能を有する衣料においては、裁断されたままの状態で縁始末不要な縁を有し、且つ編み方向に対しほぼ直角の方向に伸縮パワーが変化する領域とを同時に１枚の編地中に有する伸縮性の経編地からなる部片を構成する生地が、非弾性糸と弾性糸とを同行させた１×１編み組織であって、かつ各編針において非弾性糸と弾性糸のうちの少なくとも１方が閉じ目により編成された伸縮性経編地からなることが好ましい。
（２１）また、前記（２０）項に記載の体形補整機能を有する衣料においては、前記伸縮性経編地が、１８０℃以上の温度においてプレセット、ヒートセットから選ばれた少なくとも１種のセットが施されている伸縮性経編地であることが好ましい。
（２２）また、前記（２０）項〜（２１）項のいずれかに記載の体形補整機能を有する衣料においては、前記伸縮性経編地が、２．５４ｃｍ（１インチ）当たり６５ウエールを超える密度に編成されている伸縮性経編地であることが好ましい。
（２３）また、前記（２０）項〜（２１）項のいずれかに記載の体形補整機能を有する衣料においては、裁断されたままの状態で縁始末不要な縁が、前記の伸縮性経編地の編み方向に対し４５度を超えない範囲の角度で裁断されている縁であることが好ましい。
【図面の簡単な説明】
図１は本発明の衣料の一実施の形態例のショートタイプのガードルの背面図。
図２は図１に示したショートタイプのガードルの正面図。
図３は図２に示したショートタイプのガードルの腹部充当部片６の伸縮パワーの変化する領域について説明するための説明図。
図４はガードルの別の態様の腹部充当部片のみの部分の平面図。
図５は本発明の衣料の一実施の形態例のロングタイプのガードルの背面図。
図６は図５に示したロングガードルの正面図。
図７は図６に示したロングガードルの腹部充当部片３６の伸縮パワーの変化する領域について説明するための説明図。
図８は本発明の衣料の一実施の形態例のブラジャーの主要部分の斜視図。
図９は本発明の衣料の別の一実施の形態例のブラジャーの主要部分の斜視図。
図１０は本発明の衣料の更に別の一実施の形態例のブラジャーの主要部分の斜視図。
図１１は本発明の衣料の更に別の一実施の形態例のブラジャーの主要部分の斜視図。
図１２は伸縮パワーの変化する領域の伸縮パワーの切り替えラインの方向と、縁始末不要な縁のラインの方向が、実質上非平行な方向を向いている例を説明するための衣料の一部を構成する部片の模式的平面図。
図１３は伸縮パワーの変化する領域の伸縮パワーの切り替えラインの方向と、縁始末不要な縁のラインの方向が、実質上非平行な方向を向いている例を説明するための衣料の一部を構成する部片の別の模式的平面図。
図１４は伸縮パワーの変化する領域の伸縮パワーの切り替えラインの方向と、縁始末不要な縁のラインの方向が、実質上非平行な方向を向いている例を説明するための衣料の一部を構成する部片の更に別の模式的平面図。
図１５は伸縮パワーの変化する領域の伸縮パワーの切り替えラインの方向と、縁始末不要な縁のラインの方向が、実質上非平行な方向を向いている例を説明するための衣料の一部を構成する部片の更に別の模式的平面図。
図１６は伸縮パワーの変化する領域の直線状の伸縮パワーの切り替えラインが、裁断されたままの状態で縁始末不要な縁部分に、前記直線状の伸縮パワーの切り替えラインが到達していて、当該縁始末不要な縁が、伸縮パワーが強い部分と弱い部分が混在する縁を有する例を説明するための衣料の一部を構成する部片の更に別の模式的平面図。
図１７は本発明の衣料の別の一実施の形態例のショートタイプのガードルの背面側から見た斜視図。
図１８は図１７に示したショートタイプのガードルの正面側から見た斜視図。
図１９は図１７、図１８に示したショートタイプのガードルの着用者の左側に相当する前脇−脇−ヒップ部充当部片の裁断ラインを編地上に示した平面図。
図２０は本発明の衣料の更に別の一実施の形態例のショートタイプのガードルの背面側から見た斜視図。
図２１は図２０に示したショートタイプのガードルの正面側から見た斜視図。
図２２は図２０、図２１に示したショートタイプのガードルの着用者の左側に相当する前脇−脇−ヒップ部充当部片の裁断ラインを編地上に示した平面図。
図２３は本発明の衣料の更に別の一実施の形態例のショートタイプのガードルの背面側から見た斜視図。
図２４は図２３に示したショートタイプのガードルの正面側から見た斜視図。
図２５は本発明の衣料の更に別の一実施の形態例のショートタイプのガードルの背面側から見た斜視図。
図２６は図２５に示したショートタイプのガードルの正面側から見た斜視図。
図２７は本発明の衣料の更に別の一実施の形態例のショートタイプのガードルの背面側から見た斜視図。
図２８は図２７に示したショートタイプのガードルの正面側から見た斜視図。
図２９は本発明の衣料の更に別の一実施の形態例のショートタイプのガードルの背面側から見た斜視図。
図３０は図２９に示したショートタイプのガードルの正面側から見た斜視図。
図３１は本発明で用いる編地の編み組織を示す図。
図３２は本発明で用いる編地の別の一例の編み組織を示す図。
図３３は本発明で用いる編地の更に別の一例の編み組織を示す図。
図３４は伸縮パワーの変化する領域の伸縮パワーの切り替えラインの方向と、縁始末不要な縁のラインの方向が、実質上平行な方向を向いている例を説明するための衣料の一部を構成する部片の模式的平面図。
図３５は伸縮パワーの変化する領域の伸縮パワーの切り替えラインの方向と、縁始末不要な縁のラインの方向が、実質上平行な方向を向いている例を説明するための衣料の一部を構成する部片の別の模式的平面図。
図３６は従来の解れ防止のための縁始末の構造を示す断面模式図。
図３７は従来の解れ防止のための縁始末の別の構造を示す断面模式図。
発明の詳細な開示
本発明の衣料においては、裁断されたままの状態で縁始末不要な縁は、前述した糸抜きなどの方法で形成された縁始末不要な縁ではなく、裁断されたままの状態で縁始末不要な縁となる経編地を用いた裁断されたままの縁である。
このように裁断されたままの状態でも、その裁ち端（裁断されたままの縁）が縁始末不要な縁となるような生地としては、次に示すような編み組織を有する生地を用いることができるが、特に以下のもののみに限定されるものではなく、その裁ち端（裁断されたままの縁）が解れずに縁始末不要な縁となるような生地であれば他の編み組織を有する生地を用いることを除外するものではない。
本発明で用いる生地のベースとなる編地は、非弾性糸と弾性糸とを同行させた１×１編み組織であって、かつ各編針において非弾性糸と弾性糸のうちの少なくとも１方が閉じ目により編成された伸縮性経編地からなる。編糸に非弾性糸と弾性糸とを用いて適度の伸縮性を付与している。１×１の編み組織とし、且つ、各編針において非弾性糸と弾性糸のうちの少なくとも１方を閉じ目により編成することにより、編目の安定、裁断されたままの縁のほつれの防止を達成できる。両方を閉じ目により編成すると、更に裁断されたままの縁のほつれの防止効果が向上する。１×１の編み組織としては、１×１のトリコット編みが好ましく、特にラッシェル編機ないしはジャカードラッシェル編機で編まれた１×１のトリコット編みが編む際に糸にテンションがかかり、編み組織の密度を上げ易いため好ましい。
そして上記伸縮性経編地の中でも、図３１に示した編地組織のように、非弾性糸９０と弾性糸９１のいずれもが閉じ目により編成されている伸縮性たて編地（Ａ）、図３２に示した編地組織のように、非弾性糸９０が閉じ目により、弾性糸９１が開き目により編成されている伸縮性たて編地（Ｂ）、および図３３に示した編地組織のように、非弾性糸９０と弾性糸９１とがともに開き目と閉じ目とを交互に、ただし、同じ編針において非弾性糸９０の開き目に対して弾性糸９１は閉じ目、同様に非弾性糸９０の閉じ目に対して弾性糸９１は開き目が組み合わされ編成されている伸縮性たて編地（Ｃ）が実用的で優れている。（Ａ）および（Ｂ）の編地はとくに外観に優れ、（Ｃ）はループドロップしにくいという特長がある。
使用する非弾性糸としては、伸縮性衣類の種類により異なるが、ナイロンやポリエステルなどの合成繊維、レーヨンなどの半合成繊維、絹や綿などの天然繊維のいずれでも、またフィラメント糸、紡績糸のいずれも使用することができる。なかでも吸水性に富むナイロンはインナーウエア用編地として好ましく用いられる。弾性糸についてもとくに制限はないが、一般にポリウレタン弾性糸や当該弾性糸を非弾性糸でカバーしたカバリング糸等が使用できる。
そして、かかる伸縮性経編地においては、編み目の安定性、裁断されたままの縁のほつれ防止効果などを得る目的でプレセット処理または／およびヒートセット処理の施されているものが、好適である。処理温度は、装置の形状、プレセット処理時間、ヒートセット処理時間、素材の種類、編地の厚さなどにもよるが、１８０℃以上、好ましくは１８５℃以上の温度で、さらに確実に前記の効果を得るには１９０℃〜１９５℃の範囲で前記処理が施されていると、編地の一部が軟化し、編目が軽く融着して編地の形態が安定し、裁断されたままの縁が特にほつれにくくなり好ましい。ヒートセット処理時間は、たとえば６〜８チャンバー構成（チャンバーの合計長さが約１５〜３０ｍ）の装置を用いた場合、１５〜４０ｍ／分程度、好ましくは１５〜２４ｍ／分程度がよい。
また、一般的な編地では仕上巾を１６０ｃｍ前後にするが、この伸縮性経編地では可能な範囲で仕上巾を短くし（例えば１１０〜１３０ｃｍ）、高密度に編成したものが、伸縮性衣類において編目の美しさを保持しつつ、裁断縁のほつれを少なくし、その安定性を向上するために望ましい。使用する編糸の繊度等にもよるが、２．５４ｃｍ（１インチ）当たり５５ウエールを超える、好ましくは６０ウエールを超える、より好ましくは６５ウエールを超える、さらに好ましくは７０ウエール前後の高密度に編地を編成し、編地のよこ伸びの割合を大きくすることが好ましい。ただし、非弾性糸としてセルロース糸や綿糸が編み込まれている場合はこの限りではない。
さらに、通常に較べて非弾性糸の使用糸量を増やし、長くし、且つ弾性糸は短くし、非弾性糸のランナー長を弾性糸のランナー長に比べてかなり長くした伸縮性経編地を好ましく使用する。具体的には、通常８０ｃｍ／ラック以下の非弾性糸のランナーを８５〜１２０ｃｍ／ラック、好ましくは９５〜１１５ｃｍ／ラックとし、通常６０ｃｍ／ラック以下の弾性糸のランナーを７０〜１１０ｃｍ／ラック、好ましくは７５〜１０５ｃｍ／ラックにして編成することが好ましい。弾性糸のランナーと、非弾性糸のランナーの比率は、好ましくは１．１５以上、より好ましくは１．２以上、更に好ましくは１．３以上とすることが好ましい。
尚、ここで、「ランナー」とは、一定コース数（これを「ラック」と言い、通常、４８０コースを１ラックとする）を編むのに使用する糸の長さ（ｃｍ）を言う。
尚、本発明で用いる裁断されたままの状態で縁始末不要な縁を形成しうる経編地は、レース生地ではない。
そして、上記の如く裁断されたままの状態で縁始末不要な縁を形成しうる生地に、部分的に伸縮パワーが変化している領域を設けるには、（ａ）編み込む弾性糸の太さが異なる複数の領域を形成する方式、（ｂ）編み込む弾性糸の本数が異なる複数の領域を形成する方式、（ｃ）前記（ａ）又は（ｂ）の各領域の幅を変化させる方式、（ｄ）前記（ａ）、（ｂ）、（ｃ）の方式の少なくとも２つ以上を組み合わせた方式のいずれかの方式により伸縮パワーの強い領域と前記領域より伸縮パワーの弱い領域を形成することができる。
例えば、前記経編地に編み込まれる弾性糸のうち、伸縮パワーの強い領域には他の部分よりも繊度の大きな弾性糸を編糸に用いたり、又は、同じウェールに編み込む弾性糸の本数を多くしたりすることにより、上記のように締付パワーを強化した部分が一体に編成された伸縮性経編地とすることができる。
この際、前記経編地全体に編み込まれている弾性糸を繊度の比較的小さい弾性糸とし、伸縮パワーを強めたい領域には、繊度の大きい弾性糸を更に編み込んで、伸縮パワーの強い領域とすることもできる。
また、前述の様な伸縮パワーの強い領域の幅を細幅にし伸縮パワーの弱い領域の幅を広幅にし、一方、伸縮パワーの強い領域の幅を広幅にし伸縮パワーの弱い領域の幅を細幅にするなど、伸縮パワーの異なる領域の幅を調整することによって全体的に伸縮パワーの強弱を調整することも可能である。
なお、伸縮パワーの強弱のグレードを３段階以上にしてもよく、その場合には、上述した伸縮パワーを変化させる手法を３段階以上になるように調整すればよい。
特に限定するものではないが、前記伸縮性の経編地全体に編み込まれている非弾性糸の繊度は、２２〜１３２ｄｔｅｘが好ましく、より好ましくは３３〜５５ｄｔｅｘである。
非弾性糸は、細い方が編目を高密度としやすい。一方、細すぎると強度が弱くなってしまう。よって、３３〜５５ｄｔｅｘが編地を高密度とでき、かつ安定し強度のある編み組織とすることができるので好ましい。
また、伸縮パワーが変化する領域の伸縮パワーの弱い領域に編み込まれている弾性糸の繊度は、特に限定するものではないが、好ましくは３３〜７７ｄｔｅｘ、より好ましくは、４４〜５５ｄｔｅｘのものであり、伸縮パワーの強い領域に編み込まれている弾性糸の繊度は、好ましくは６６〜２３１ｄｔｅｘ、より好ましくは８８〜１５４ｄｔｅｘのものである。
伸縮性の経編地からなる前記経編地全体に編み込まれている弾性糸の繊度を、好ましくは３３〜７７ｄｔｅｘ、より好ましくは４４〜５５ｄｔｅｘの弾性糸とし、伸縮パワーの強い領域には、好ましくは６６〜２３１ｄｔｅｘ、より好ましくは８８〜１５４ｄｔｅｘの太さの弾性糸が更に編み込まれている態様とすることも好ましい。
弾性糸は、細い方が編地を高密度とできる。１５４ｄｔｅｘ以上となると、裁断したままで縁部始末不要な状態は実現できるが、伸度が少なくなり、身体に密着する衣料に使用するには不都合がある。一方、１５４ｄｔｅｘよりも太い弾性糸は、伸度を要求しない衣料部位に使用することは可能である。また、２３１ｄｔｅｘ以上、３９６ｄｔｅｘまでの弾性糸でも、比較的柔らかいものであれば、裁断しても裁断したままの縁部がほつれにくい状態を実現できる。伸度は少ないが、伸度を要求しない部位には使用しうる。
そして、裁断されたままの状態で縁始末不要な縁を形成しうる生地に、部分的に伸縮パワーが変化している領域を設けるには、更に次の様な手法を適用してもよい。
（ｅ）編み込む非弾性糸の太さが異なる複数の領域を形成する方式、
（ｆ）編み込む非弾性糸の太さを変えると共に、編み込む弾性糸の太さ及び編み込む弾性糸の本数から選ばれた少なくとも一方を異ならしめることの組み合わせにより伸縮パワーの異なる複数の領域を形成する方式、
（ｇ）編み込む非弾性糸の太さを変えて伸縮パワーの異なる複数の領域を形成する際に、更に、前記各領域中に、（ｇ１）部分的に編み込む太い非弾性糸の密度を高くする部分を設ける、または、（ｇ２）部分的に編み込む細い非弾性糸の密度を高くする部分を設けることによって、前記各領域をそれぞれ全体として伸縮パワーの強い、または、弱い領域とする方式。
上記（ｇ）の方式について、より理解を容易にするために、具体的に説明するならば、例えば、編み込む非弾性糸の太さを太くすることによって、伸縮パワーの強い領域を設ける際に、部分的に細い非弾性糸の密度を高くする部分を設けることによって若干伸縮パワーを弱めの方向に調整し、その部分は全体としては、伸縮パワーの強い領域を形成し、また、編み込む非弾性糸の太さを細くすることによって伸縮パワーの強い領域を設ける際に、部分的に太い非弾性糸の密度を高くする部分を設けることによって若干伸縮パワーを高目の方向に調整し、その部分は全体としては、伸縮パワーの弱い領域を形成するなどの、方式である。しかし、弾性糸による程には、伸縮パワーの差はつきにくい。
尚、伸縮パワーの強弱の領域の形成とは無関係に、ないしは、伸縮パワーの強弱の領域の形成と連動させて、非弾性糸として、ブライト糸とダル糸を使用し、ブライト糸を編み込んだ部分とダル糸を編み込んだ部分を編み分けにより形成し、所望箇所にブライト糸とダル糸の光沢の差異による、線状ないし帯状の目視可能な模様を形成させることも好ましい。ブライト糸は光沢を有し、ダル糸は、つや消し糸であるので、ブライト糸を編み込んだ領域とダル糸を編み込んだ領域とが、光沢の差異により、目視可能に区別され、線状ないし帯状の目視可能な模様が形成され、デザイン上、衣料の美感を向上させることができ好ましい。
伸縮パワーの強弱の領域の形成と連動（関連）させて、非弾性糸として、ブライト糸とダル糸を使用する場合の手法としては、例えば、次のような手法が例示される。
用いる非弾性糸のブライト糸とダル糸の太さを変えることにより伸縮パワーの異なる複数の領域を形成する手法で、例えば伸縮パワーの弱い領域に用いる非弾性糸として細いブライト糸を用い、伸縮パワーの強い領域に用いる非弾性糸として太いダル糸を用いる組み合わせ、とか、その逆で、伸縮パワーの弱い領域に用いる非弾性糸として細いダル糸を用い、伸縮パワーの強い領域に用いる非弾性糸として太いブライト糸を用いる組み合わせなどにより、伸縮パワーの相違部分を目視可能な模様部分と関連、連動させることができる。このように、伸縮パワーの相違部分を目視可能な模様部分と関連させることにより、デザイン上、衣料の美感を向上させると同時に、伸縮パワーの強弱の機能領域を視認するとができ好ましい。
また、前記の手法に変えて、弾性糸の太さ、編み込み本数の少なくともいずれかを変えた伸縮パワーの異なる複数の領域の各領域に同時に編み込まれている非弾性糸を、それぞれブライト糸とダル糸を使い分けて使用することにより、伸縮パワーの相違部分を目視可能な模様部分にすることも好ましい。
すなわち、伸縮パワーの強弱の領域は、弾性糸の太さ、及び／又は弾性糸の編み込み本数を変えることにより形成するが、それぞれの領域がそれぞれ線状ないし帯状模様として視認できるようにするために、伸縮パワーの強い領域に用いられる非弾性糸をダル糸とし、伸縮パワーの弱い領域に用いられる非弾性糸をブライト糸とするとか、その逆の組み合わせとすることもできる。
また、前記の手法に変えて、非弾性糸及び弾性糸の両者の、太さ、編み込み本数の少なくともいずれかを変えた伸縮パワーの異なる複数の領域の各領域に同時に編み込まれている前記非弾性糸を、それぞれブライト糸とダル糸を使い分けて使用することにより、伸縮パワーの相違部分を目視可能な模様部分にすることも好ましい。
すなわち、上記の様な場合には、種々の組み合わせがあるが、例えば、伸縮パワーの強い領域は、太い弾性糸と太いダル糸（非弾性糸）により形成し、伸縮パワーの弱い領域は、細い弾性糸と細いブライト糸（非弾性糸）により形成するなど、それぞれの領域がそれぞれ線状ないし帯状模様として視認できるようになる。尚、前述の範囲の組み合わせであれば何ら具体的に例示した組み合わせに限定されない。
本発明の衣料は、以上のような裁断されたままの状態で縁始末不要な縁を有し、且つ編み方向に対しほぼ直角の方向に伸縮パワーが変化する領域とを同時に１枚の編地中に有し、当該伸縮パワーの切り替えラインが直線状である伸縮性の経編地からなる部分を、衣料を構成する生地の少なくとも一部の部片として用いる。そして当該部片は、その当該伸縮パワーの切り替えラインの方向と、縁始末不要な裁断されたままの状態の縁のラインのうち衣料上端又は下端の縁の少なくとも一方の縁を構成するラインの方向とが、相互に非平行である部片を、衣料の種類やデザインに応じて少なくとも衣料を構成する部片の一部として適宜用いる。縁始末不要な裁断されたままの状態の縁のラインのうち衣料上端又は下端の縁の少なくとも一方の縁を構成するラインの方向と、その当該伸縮パワーが変化する領域の伸縮パワーの切り替えラインの方向とが、相互に非平行である部片とするには、衣料上端又は下端の縁の少なくとも一方の縁を目的とするデザインに応じて適宜裁断することで形成しうる。尚、必ずしも衣料を構成する部片のすべてをかかる生地で構成する必要はないし、衣料の部位によっては、衣料上端又は下端の縁の少なくとも一方の縁のラインの方向と、その当該伸縮パワーの切り替えラインの方向とが、平行である部片が用いられている部分があっても何ら差し支えない。また、衣料の部位によっては、衣料の上端又は下端の縁の少なくとも一方の縁が、従来の糸抜きにより形成された縁始末不要な縁であってもよい。また、衣料の一部の部位に縁始末が必要な生地（以下、この生地を、「本発明とは別の生地」と略称することがある）を用いてもよい。
かくして本発明の衣料は、弾性糸及び／又は非弾性糸の太さ及び／又は編み込み糸の本数などによって形成した伸縮パワーの変化する領域の伸縮パワーの切り替えラインの方向と、縁始末不要な縁のラインの方向とが、必然的に平行にされることなく、それぞれのラインの必要に応じた好適な方向にほぼ自由に設計でき、伸縮パワーの変化する領域を、目的の体形補整を行うに好適な角度で配置し、しかも裾ラインないしウェストラインなどの方向も、伸縮パワーの変化する領域の方向にとらわれずに自由な方向のラインに設計した縁始末不要な縁を少なくとも一部に有する衣料が提供できる。尚、伸縮パワーの変化する領域の方向とは、本発明においては伸縮パワーの切り替えラインの方向と同じになる。ここで、縁始末不要な縁のラインの方向は、編み方向に対し、４５度を超えない範囲の角度で裁断されている縁であることが、裁断されたままの縁のほつれが目立ちにくくより好ましい。
一方、別の観点から、より重要なことは、弾性糸による伸縮パワーの切り替え部を有していて伸縮パワーの切り替えラインが直線状である伸縮性の経編地からなる前記部片の裁断されたままの状態で縁始末不要な縁からなる衣料上端又は下端の縁の少なくとも一方の縁が、当該編地の編み方向に対し、好ましくは２０〜８０度、より好ましくは３０〜６０度、より一層好ましくは４０〜５０度、最も好ましくは４５度前後（具体的には４３〜４７度）の角度で裁断された縁とすることである。尚、この角度は、弾性糸によるパワー切替え部分が縁部に至る場合、裁断縁（波状の場合等は直線として仮定したラインの方向）と弾性糸による直線状のパワー切替えラインとの角度にも相当する。かかる本発明の好ましい態様とすることにより、裁断されたままの状態で縁始末不要な縁の身体へのフィット性が向上し、当該縁部分が、着用者の身体外側にカールすることを防止でき好ましい。即ち、裁断されたままの状態で縁始末不要な縁を、衣料の上端又は下端、例えば、ウェストや裾などに有する衣料は、当該縁部分が、着用者の身体外側にカールする場合がある。このようなカールを生じないようにするには、上記縁始末不要な縁となる部分の裁断ラインを、当該編地の編み方向に対し上述の角度となるように裁断することが好ましい。編地の編み方向とは、編地を編む場合の糸の供給方向に相当する。上記において編み方向に対し２０〜８０度とは、編み方向のラインを仮定した場合にその左右のいずれか側に２０〜８０度の角度であること、言い換えれば編み方向の進行方向側に角の頂点側が向いている角の角度で、編み方向の進行方向ラインに対し±２０〜８０度の角度である。編み方向（編物の生産方向）と逆方向側に角の頂点側が向いている様な角ではない。
尚、裁断されたままで端始末不要な縁を、身体外側にカールすることを防止する必要性の少ない部位に使用する場合には、４５度を超えない範囲で裁断した縁を有する部片を使用することも好ましい。また、裁断縁を直線状ではなく、波形などに裁断した部片を使用すれば、縁部が身体外側にカールすることを防止でき好ましい。
衣類の部片を裁断する前に、複数の縁部を裁断したままで縁始末不要な縁とする場合、いずれかの箇所は、編み方向に対し２０〜８０度では裁断できず、編み方向に２０度未満の角度で裁断せざるを得ない箇所がある。その様な縁部は波形に裁断すれば、波形のカーブとなった縁部の裁断角度が２０〜８０度とすることもでき、縁部全体を実質的に２０〜８０度で裁断した効果を得られる。例えばショートガードルのウエストラインと裾を共に裁断したままで縁始末不要な縁とする場合など、両方の端部を２０〜８０度で裁断できないこともあり、かかる場合に、一方の縁を波状の縁にすることは好ましい。
裁断されたままの状態で縁始末不要な縁を有し、且つ編み方向に対しほぼ直角の方向に伸縮パワーが変化する領域とを同時に１枚の編地中に有し、当該伸縮パワーの切り替えラインが直線状である伸縮性の経編地からなる部片で、伸縮パワーの切り替えラインの方向と、縁始末不要な縁のラインの方向とが、実質上非平行な方向を向いている例を説明するために、先に、用いたモデル図の図３４、図３５と同様の趣旨の図である図１２〜図１６を用いて説明する。図１２〜図１６は、それぞれ一モデルサンプルとして、上述した本発明で用いる、１枚の編地中に、伸縮パワーの変化する領域を形成すると共に、同時に１枚の同じ編地中に裁断されたままの状態で縁始末不要な縁を形成したものを、適宜の形状に裁断した、衣料の一部を構成する部片の模式的平面図を示した。尚この部片の形状は、単に、説明のために取り上げた形状であり、ある特定の衣料の部片に適用する厳密な形状ではない。しかし例えば、ある種のショートガードルの前脇から脇をカバーし背部のヒップ部をカバーするための右側の部片に近い形状の部片を説明用のモデルとして採用したものである。図の左側が、後中心側となる。
図１２に示した編地８０は、８１と８２の上下の縁が、裁断により形成された縁で、裁断されたままの状態で縁始末不要な縁であり、８３が伸縮パワーの変化する領域（例えば、太い弾性糸が編み込まれて伸縮パワーが強められた領域）、であり、伸縮パワーの変化する領域８３の伸縮パワーの切り替えラインの方向８５と、縁始末不要な縁８１の方向８４、ならびに縁始末不要な縁８２の方向８６とは非平行になっている。尚、編み方向は、８５の矢印が示している方向である（以下、これを、伸縮パワーの切り替えラインの方向８５と同じ方向と略称することがある）。尚また、本発明においては、図示したものに限られず、縁始末不要な縁８１の方向８４、及び縁始末不要な縁８２の方向８６のいずれか一方が、伸縮パワーの切り替えラインの方向８５と非平行になっているものでもよい。
なお、本発明において、「編み方向に対しほぼ直角の方向に伸縮パワーが変化する領域を有する」とは、例えば、図１２を引用し説明すると次のようである。説明を容易にするために、図１２において伸縮パワーが強められた領域が１３で、その他の領域は伸縮パワーが弱い領域であると仮定して説明する。伸縮パワーが強められた領域１３の長さ方向は、編み方向８５と平行であるが、編地を編み方向８５と平行な方向に辿っても（追跡しても）、伸縮パワーは変化しない。しかし、編地を編み方向８５と直角方向に辿ると（追跡すると）、その方向に伸縮パワーが変化する領域が現れることを意味している。従って、伸縮パワーの変化する領域８３の伸縮パワーの切り替えラインの方向８５が、編み方向と平行であることは、何ら、上記の意味と矛盾するものではない。
次に図１３に、前記図１２と同様に１枚の編地中に、伸縮パワーの変化する領域を形成すると共に、同時に１枚の同じ編地中に裁断されたままの状態で縁始末不要な縁を形成したものを、適宜の形状に裁断した、衣料の一部を構成する部片の模式的平面図を示した。図１３に示した編地８０は、８１と８２の上下の縁が、裁断により形成された縁で、裁断されたままの状態で縁始末不要な縁であり、以下、図１２と同一の部分には同一の符号を付して重複説明は省略した。下側の８１の縁が、波形形状になっている。
そしてこの場合も伸縮パワーの変化する領域８３の伸縮パワーの切り替えラインの方向８５と、縁始末不要な波形形状の縁８１の方向８４とは実質上非平行である。縁８１は波形形状の曲線であるが、その波の進行方向に相当する全体としての縁８１の方向は、矢印８４の方向と言える。光は波動するが、全体として直線で進行方向を描いているのと同じ扱い方である。矢印８４は、縁始末不要な８１の波形の波を上下に分割する中央線をもって全体としての方向としたが、図３５で説明したように波形の波の頂点を結ぶ接線ラインをもってしても全体としての方向が示せる。すなわち、裁断されたままの状態で縁始末不要な縁８１の如く波形状にしても、その全体としての方向８４と、伸縮パワーの変化する領域８３の伸縮パワーの切り替えラインの方向８５とは、実質上非平行になっているとする例である。尚、編み方向、すなわち糸の供給方向は、８５の矢印が示している方向である。また、この例においては、裁断されたままの状態で縁始末不要な上側の縁８２の方向８６と伸縮パワーの変化する領域８３の伸縮パワーの切り替えラインの方向８５も非平行になっている。尚、図示したものは波形の縁のそれぞれの波の形状が均等な形状の波形の例を示したが、波の形状は、波が均等になっている形状でも、波が不均等になっている形状でも良い。
次に図１４に、前記図１２と同様に１枚の編地中に、伸縮パワーの変化する領域を形成すると共に、同時に１枚の同じ編地中に裁断されたままの状態で縁始末不要な縁を形成したものを、適宜の形状に裁断した、衣料の一部を構成する部片の模式的平面図を示した。図１４に示した編地８０は、８１と８２の上下の縁が、裁断により形成された縁で、裁断されたままの状態で縁始末不要な縁であり、以下、図１２〜図１３と同一の部分には同一の符号を付して重複説明は省略した。下側の８１の縁が、略円弧状になっている。
そしてこの場合も伸縮パワーの変化する領域８３の伸縮パワーの切り替えラインの方向８５と、縁始末不要な略円弧状の縁８１の方向８４とは実質上非平行である。縁８１の如くほぼ円弧状と見なせる縁は曲線であるが、全体としての縁８１の方向は、そのほぼ中点に相当する点Ａの接線の方向である矢印８４の方向と言える。すなわち、裁断されたままの状態で縁始末不要な縁８１の如く略円弧状にしても、その全体としての方向８４と、伸縮パワーの変化する領域８３の伸縮パワーの切り替えラインの方向８５とは、実質上非平行になっているとする例である。尚、編み方向、すなわち糸の供給方向は、８５と同じ方向で、且つその矢印が示している方向である。また、この例においては、裁断されたままの状態で縁始末不要な上側の縁８２の方向８６と伸縮パワーの変化する領域８３の伸縮パワーの切り替えラインの方向８５も非平行になっている。尚、円弧の向きが上下逆方向の上向きに凸の円弧状であっても同様である。
次に図１５に、前記図１２と同様に１枚の編地中に、伸縮パワーの変化する領域を形成すると共に、同時に１枚の同じ編地中に裁断されたままの状態で縁始末不要な縁を形成したものを、適宜の形状に裁断した、衣料の一部を構成する部片の模式的平面図を示した。図１５に示した編地８０は、８１と８２の上下の縁が、裁断により形成された縁で、裁断されたままの状態で縁始末不要な縁であり、以下、図１２〜図１４と同一の部分には同一の符号を付して重複説明は省略した。下側の８１の縁が、上に凸の２つの曲率の異なる略円弧状曲線の略合成形状になっている例である。
そしてこの場合も伸縮パワーの変化する領域８３の伸縮パワーの切り替えラインの方向８５と、縁始末不要な略円弧状の縁８１の方向８４ａ、８４ｂとは実質上非平行である。縁８１の如く縁８１の方向が明らかに全体としてまとまった１つの方向で統一できない場合には、縁始末不要な略円弧状の縁８１の方向は、この例の如く、例えば方向の異なる境界点Ｃで複数に分けて、図の点Ｃの左側におけるＡ−Ｂ−Ｃラインのほぼ円弧状と見なせる縁の方向は、そのほぼ中点に相当する点Ｂの接線の方向である矢印８４ａの方向であり、一方、図の点Ｃの右側における曲率の小さいほぼ円弧状と見なせるＣ−Ｄ−Ｅラインの縁の方向は、そのほぼ中点に相当する点Ｄの接線の方向である矢印８４ｂの方向と言える。すなわち、裁断されたままの状態で縁始末不要な縁８１の方向８４ａと８４ｂの方向は、伸縮パワーの変化する領域８３の伸縮パワーの切り替えラインの方向８５とは、実質上非平行になっているとする例である。尚、いずれか一方は、平行になっていてもよい。また、編み方向、すなわち糸の供給方向は、８５の矢印が示している方向である。尚、この例においては、裁断されたままの状態で縁始末不要な上側の縁８２の方向８６と伸縮パワーの変化する領域８３の伸縮パワーの切り替えラインの方向８５も非平行になっている。
以上、少数の例を挙げて、本発明における伸縮パワーの変化する領域の伸縮パワーの切り替えラインの方向と、縁始末不要な縁のラインとが、実質上非平行な方向を向いている例を説明したが、上下の縁８１と８２の縁のライン方向のうち、いずれか一方が、伸縮パワーの変化する領域の境界ラインの方向８５と非平行であれば、他方は衣料デザイン設計上、必要に応じて平行になっていてもよい。また、一続きの裾やウエストなどの縁部において、縁ラインの方向が弾性糸による直線状の伸縮パワー切替えラインと平行な部分が部分的に存在していてもよい。
次に図１６は、前記図１２と同様に１枚の編地中に、伸縮パワーの変化する領域を形成すると共に、同時に１枚の同じ編地中に裁断されたままの状態で縁始末不要な縁を形成したものを、適宜の形状に裁断した、衣料の一部を構成する部片の別の模式的平面図を示したものである。図１６に示した編地８０は、８１と８２の上下の縁が、裁断により形成された縁で、裁断されたままの状態で縁始末不要な縁であり、以下、図１２〜図１４と同一の部分には同一の符号を付して重複説明は省略した。特に図１６は裁断されたままの状態で縁始末不要な縁の部分に、伸縮パワーの変化する領域の直線状の伸縮パワーの切り替えラインが到達していて、当該縁始末不要な縁が、伸縮パワーが強い部分と弱い部分が混在する縁となっている例を説明するための模式的平面図である。
図１６において、伸縮パワーの変化する領域８３（８８が伸縮パワーの強い領域、その両側の８７が伸縮パワーの弱い領域と仮定する）の直線状の伸縮パワーの切り替えラインが裁断されたままの状態で縁始末不要な上側の縁部分８２に到達していて、当該縁始末不要な縁８２が、伸縮パワーが強い部分８８と弱い部分８７が混在する縁となっている例である。
しかも、当該縁始末不要な縁８２が、当該編地の編み方向（８５の矢印の指す方向）に対し、αが２０〜８０度の角度（この例ではα＝４５度）で裁断された縁の例である。かかる本発明の好ましい態様とすることにより、裁断されたままの状態で縁始末不要な縁８２の身体へのフィット性が向上し、当該縁８２部分が、着用者の身体外側にカールすることを防止できる。また、衣料設計の自由度が増す。
尚、図示していないが、伸縮パワーの強い部分と、弱い部分が、適宜幅、適宜間隔、等間隔、あるいは異間隔に、交互にストライプ状に配置されてもよい。伸縮パワーの強い部分、弱い部分、中伸縮パワーの部分など３以上の伸縮パワーの異なる部位を、適宜幅、適宜間隔、適宜順序で、等間隔あるいは異間隔に配置しても良い。
以上、図１２〜図１６では、説明を簡単にするために、弾性糸の使い分けによる、伸縮パワーの切り替えの例を挙げて説明したが、前述の如く、仮に、編み込む非弾性糸の太さや、編み込み本数（２本以上同時にひきそろえて糸を供給する）を切り替えて、伸縮パワーの異なる複数の領域を形成する場合の如く、非弾性糸の使い分けにより伸縮パワーの変化した領域を形成する場合も、あるいは、弾性糸と非弾性糸の両者を同時に使い分けて伸縮パワーの変化した領域を形成する場合も、同様である。
尚、本発明は「体型補整機能を有する衣料」であるが、体型補整機能には、例えば、ヒップアップや太腿を押えるといった、プッシュ機能だけではなく、ヒップの膨らみなどの身体の立体の出っ張った部分に当接する箇所が、身体の膨らみに応じて伸びて、その膨らみに追随し、必要な膨らみを潰さない、という機能も含む意味である。押えることが必要な箇所は押え、膨らみが必要な箇所は膨らみをつぶさず追随し、身体本来の立体形状を活かしながら、より綺麗に補整するということである。例えば、衣料が、ショーツ又はガードルであり、伸縮性の経編地からなる前記部片の伸縮パワーの弱い領域が、ヒップの膨らみ部をカバーしている本発明の好ましい態様とすることにより、ヒップの膨らみをつぶさずに、美しいヒップの丸みを保持しながらヒップの立体形状にフィットでき、更に前述の効果が発揮される体形補整機能を有する衣料が提供でき好ましい。
尚、本発明の衣料においては、衣料の縁部（ボトム衣料の場合の裾あるいはウエスト部、ブラジャーのバック布の上緑あるいは下縁）の全長が裁断されたままの状態で縁始末不要な縁となっていることが好ましいが、テンションのかかり易い箇所を、各々の縁部全長の１０％以下の長さで部分的に、縁部始末、もしくは縫い目を入れることによって縁部の強化を図ってもよい。例えば、ブラジャーのカップとバック布との縫合箇所付近や、左右のバック布の先端部に設けられたフックアンドアイなどを有する左右のバック布相互の開閉用連結部との縫合箇所付近、ショーツやショートガードルなどのショートボトム衣料のクロッチとの縫合箇所付近などは、着用時にテンションがかかりやすいため、縁部を裁断したままにないで、長さ５〜２０ｍｍ程度は、縫い目を入れて、強化しても差し支えない。
次に、本発明の衣料の具体的実施の形態例について、図面を引用しながら説明するが、本発明はこれら図示したもののみに限定されるものではない。
尚、以下の説明においては、１枚の編地中に、伸縮パワーの切り替えラインが直線状である伸縮パワーの変化する領域を形成すると共に、同時に１枚の同じ編地中に裁断されたままの状態で当該裁断された縁が縁始末不要な縁を形成した部片を単に「ヘミングレス部片」と略称を用いて記述することがある。また、以下の実施の形態例で用いる、前述の様なヘミングレス部片は、前述の図３１を引用して説明した経編地から作られているので、当該経編地の編み組織の説明は省略する。但し、前述の図３２や図３３を引用して説明した経編地など、本発明の目的を達成しうる経編地であれば、他の編み組織の経編地でも良いことは勿論である。
実施の形態例１
図１は本発明の裁断されたままの状態で縁始末不要な縁を有し且つ体形補整機能を有する衣料の一実施の形態例のショートタイプのガードルの背面図、図２は正面図である。尚、図２においては、図１の背面側の裾部分が実際には見えるはずであるが、図示すると複雑になりかえって理解しにくくなるので、当該ガードルを、脇ラインで正面側と背面側に平坦になるように折り畳んで、表側のみ図示している。
図１、図２において、１が前脇−脇―背面部をカバーする前脇−脇―ヒップ部充当部片、６は腹部をカバーする腹部充当部片である。左右の前脇−脇―ヒップ部充当部片１は、後中心の縫合ライン４で相互に縫合されており、前脇−脇―ヒップ部充当部片１の前側の側縁は、腹部充当部片６の側縁と縫合ライン５で互いに縫合されている。８は前中心側裾部片である。
前脇−脇―ヒップ部充当部片１にはヘミングレス部片を用い、腹部充当部片６には、ヘミングレス部片とほぼ同様のものであるが、後述するように、腹部充当部片６の上側の縁７は、裁断されたままの状態の縁ではなく、生地を折り返して縁を形成している。これらの部片において、図において色の濃い暗い部分が、色の濃い暗い直線状の部分も含めて、伸縮パワーが強い領域であり、無着色の白い部分が、白の直線状の部分も含めて伸縮パワーが弱い領域を示している。
前脇−脇―ヒップ部充当部片１を構成する経編地の編み方向は、矢印８５ａ、８５ｂの矢印が示す方向である。腹部充当部片６も含めてこれらの部片を構成する経編地の編み方向は、伸縮パワーが強い領域のうち、直線で描かれている伸縮パワーが強い領域の長さ方向と平行である。言い換えれば伸縮パワーが変化する領域の伸縮パワーの切り替えラインの方向と平行である。
前脇−脇―ヒップ部充当部片１については、前記部片全体はナイロン糸と４４ｄｔｅｘのポリウレタン糸が、図３１で説明したようなナイロン糸とポリウレタン糸とを同行させた１×１編み組織で、弾性糸と非弾性糸が共に閉じ目で編成されている。ナイロン糸としては、４４ｄｔｅｘのダル糸と３３ｄｔｅｘのブライト糸の２種類を使用した。
そして図の９の領域、１０の領域、１１の領域のうち図において色の濃い暗い部分（色の濃い暗い直線状部分も含む）には、４４ｄｔｅｘのナイロンのダル糸が使われ４４ｄｔｅｘの前述したポリウレタン糸と１×１編み組織となり、色の白い部分は、３３ｄｔｅｘのナイロンのブライト糸が使われ前述した４４ｄｔｅｘのポリウレタン糸と１×１編み組織となっている。
ウエストを含めた上部（９の領域）の前述の４４ｄｔｅｘのダル糸使用の箇所には、４４ｄｔｅｘのポリウレタン糸に加え、さらに７７ｄｔｅｘのポリウレタン糸が編み込まれている（当該部分のポリウレタン糸の太さ合計４４＋７７＝１２１ｄｔｅｘ）。前述の３３ｄｔｅｘのブライト糸使用の箇所には、更に４４ｄｔｅｘのポリウレタン１本が編み込まれており、合計４４ｄｔｅｘのポリウレタン２本が編み込まれている。（当該部分のポリウレタン糸の太さ合計４４＋４４＝８８ｄｔｅｘ）。９の領域は、全体的には、伸縮パワーの強い領域を形成している。
ヒップの膨らみに充当する部分（１０の領域）の４４ｄｔｅｘのナイロンのダル糸使いの箇所には、４４ｄｔｅｘのポリウレタン糸が合計２本編み込んまれており、３３ｄｔｅｘのナイロンのブライト糸使いの箇所には、４４ｄｔｅｘのポリウレタン糸が合計１本使用されている。１０の領域は、全体的には、伸縮パワーの弱い領域を形成している。
裾の部分（１１の領域）は、ウエスト周辺の上部と同様、４４ｄｔｅｘのナイロンのダル糸使用の箇所には、４４ｄｔｅｘのポリウレタン糸に加え、さらに７７ｄｔｅｘのポリウレタン糸が編み込まれており（ポリウレタン糸の太さ合計４４＋７７＝１２１ｄｔｅｘ）、３３ｄｔｅｘのナイロンのブライト糸使用の箇所には、４４ｄｔｅｘのポリウレタン糸が合計２本編み込まれている（ポリウレタン糸の太さ合計４４＋４４＝８８ｄｔｅｘ）。１１の領域は、全体的には、伸縮パワーの強い領域を形成している。
尚、これらのポリウレタン糸は、全て（挿入ではなく）ルーピングされている（編み込まれている）。合計２本編み込まれている場合には、重ねて同じウェールに編みこまれている。以下の実施の形態例についてもこの点には、同様である。
１０の領域のうち色の暗い部分は、色の白い部分に比べて面積が少なくなっているので、この部分の伸縮パワーは全体としては伸縮パワーの弱い領域となる。
また、前述したように図の色の濃い暗い部分には、ダル糸であるつや消しされた糸が用いられ、色の白い部分にはブライト糸と呼ばれるより光沢感のある糸が用いられていて、図の色の暗い部分と色の白い部分とが目視可能な縞模様となって、伸縮パワーの強弱の線状ないし帯状の目視可能な模様が現れ、デザイン上、衣料の美感を向上させると同時に、伸縮パワーの強弱の機能領域を視認することができ好ましい。
そして前脇−脇―ヒップ部充当部片１における裁断されたままの状態で縁始末不要な縁は、２の裾ラインの縁と３のウェストラインの縁の部分である。裾ライン２は波形になっており、裾ライン２の方向は当該波形の各頂点を結ぶ直線と同じ方向、すなわち矢印１２で示された方向であり、伸縮パワーが変化する領域の伸縮パワーの切り替えラインの方向とは５度の角度がついており若干非平行となっている。ウェストライン３の方向も伸縮パワーが変化する領域の伸縮パワーの切り替えラインの方向とは３０度の角度が付されており非平行となっている。
伸縮パワーが変化する領域の方向は、この例ではヒップの膨らみ部分は幅が約１４ｃｍ（以下、かかる領域の幅は、６４サイズ、すなわちＭサイズにおける数値を目安としたものである。）で伸縮パワーが弱く、ヒップの膨らみの脇側から下方部分にほぼ沿うように伸縮パワーの強い領域１１が脇側斜め上から後中心に向かって斜めに下がる方向に設けられていて、ヒップアップ機能を発揮するに好適な角度で伸縮パワーが変化する領域の伸縮パワーの切り替えラインの方向が決められている。そして、裾ライン２の方向とウェストライン３の方向は、伸縮パワーが変化する領域の伸縮パワーの切り替えラインの方向に拘束されず、本件ガードルに好適な方向で設計されている。また、上記部片のウェスト部も、ゴムテープなどを用いずにゴムテープよりも広幅で伸縮パワーの強い領域を設けているので、ゴムテープの様に線状にウェストを強く締め付けることがなく、広幅の面で着用感を低下させずに、ウェスト部の伸縮力が強められている。従ってウェスト上辺部が分厚くならず、ウェストまわりをすっきりとした状態に保持でき、更にウェストの伸縮力が強められていることにより、ウェストまわりの体型にフィットする機能が付与されると共に、ウェストまわりにゴムテープを縫合していないので、ゴムテープによる厚みの増大がなく、着用時のウェストまわりのシルエットをすっきりとしたシルエットにすることができると共に、ゴムテープの締め付け跡が肌に残ることがない。また、上記裾まわりにおいても同様である。
尚、図３に腹部充当部片６の伸縮パワーの変化する領域について説明するための、腹部充当部片６のみの部分の説明図を示した。腹部充当部片６も同様の編み組織の布で作成されているが、上側の縁７は前述したように、この例では折り返されて縁７が形成されている。必要に応じ、腹部充当部片６の上側の縁７を、裁断されたままの状態で縁始末不要な縁としても良い。腹部充当部片６全体は４４ｄｔｅｘのナイロン糸と４４ｄｔｅｘのポリウレタン糸が、図３２で説明したようなナイロン糸とポリウレタン糸とを同行させた１×１編み組織で、弾性糸が開き目、非弾性糸が閉じ目により編成されており、１３の領域と１５の領域のうち、図において色の濃い暗い部分には、１２１ｄｔｅｘのポリウレタン糸が更に重ねて編み込まれて伸縮パワーの強い領域を形成し、１４の領域のうち図の色の濃い暗い部分には、８８ｄｔｅｘのポリウレタン糸が更に重ねて編み込まれている。１４の領域のうち色の濃い暗い部分は、色の白い部分に比べて面積が少なくなっているので、この部分の伸縮パワーは全体としては伸縮パワーの小さい領域となる。この腹部充当部片６も、ウェスト部分の伸縮パワーが大きくなっており、ゴムテープなどを用いずにゴムテープよりも広幅で伸縮パワーの強い領域を設けているので、ゴムテープの様に線状にウェストを強く締め付けることがなく、広幅の面で着用感を低下させずに、ウェスト部の伸縮力が強められている。従ってウェスト上辺部が分厚くならず、ウェストまわりをすっきりとした状態に保持できると共に、ウェストまわりにゴムテープを縫合していないので、ゴムテープの締め付け跡が肌に残ることがない。また、下腹部は、下方に行くに従って弾性糸が多く編み込まれて次第に伸縮パワーが強くなるように設計されており、着用感を低下させずにソフトな締め付け感で下腹部の贅肉の膨出を押さえ、腹部形状をすっきりとした形に整える補整機能が発揮される。また、前中心側裾部片８は、この例では、従来の伸縮性のメッシュ調パワーネットであって、縁部が従来の糸抜きの方法で得られた縁始末不要な縁１６が形成されている編み物を用いた。但し、裁断されたままの状態で縁始末不要な縁を有する部片を用いてもよい。また、クロッチ部の図示は省略している。クロッチ部の素材は、従来よりショートガードルのクロッチ部に用いられている各種のものが使用できる。
以上の如く、前脇−脇―ヒップ部充当部片１の裾ライン２の方向とウェストライン３の方向が、伸縮パワーが変化する領域の伸縮パワーの切り替えラインの方向と必然的に平行にせざるを得ないと言うことがなく、伸縮パワーが変化する領域の伸縮パワーの切り替えラインの方向に拘束されず必要な好適な方向に衣料を設計できる。すなわち、裾ライン２の方向とウェストライン３の方向及び伸縮パワーが変化する領域の伸縮パワーの切り替えラインの方向は、本件ガードルに好適な方向で互いに拘束なく設計でき、着用性がより好適な衣料とすることができる。
尚、図４に別の態様の腹部充当部片６のみの部分の平面図を示したが、図４に示した腹部充当部片６は、左右の腹部充当小部片６ａ、６ｂを前中心の縫合ライン１７で縫合したものである。図４の腹部充当部片６も図３で説明した腹部充当部片６と同様の編み組織の布で作成されているが、上側の縁７を、裁断されたままの状態で縁始末不要な縁としている。そして、当該腹部充当部片の伸縮パワーが変化する領域の伸縮パワーの切り替えラインの方向と、裁断されたままの状態で縁始末不要な上側の縁７のラインの方向とが非平行の部片である。上記、ガードルにおいて、図３で説明した腹部充当部片に代えて、上記図４で説明した腹部充当部片を用いてもよい。
実施の形態例２
図５は本発明の裁断されたままの状態で縁始末不要な縁を有し且つ体形補整機能を有する衣料の一実施の形態例のロングタイプのガードルの背面図、図６は正面図である。
図５、図６において、３１が前脇−脇―背面部−脚部をカバーする前脇−脇―ヒップ部−脚部充当部片、３６は腹部をカバーする腹部充当部片である。左右の前脇−脇―ヒップ部−脚部充当部片３１は、後中心の縫合ライン３４で相互に縫合されており、前脇−脇―ヒップ部−脚部充当部片３１の前側の側縁は、腹部充当部片３６の側縁と縫合ライン３５で互いに縫合されている。また、脚部は筒状になるように、内側の縁３８で縫合されている。
前脇−脇―ヒップ部充当部片３１にはヘミングレス部片を用い、腹部充当部片３６にはヘミングレス部片とほぼ同様のものであるが、後述するように、腹部充当部片３６の上側の縁３７は、裁断されたままの状態の縁ではなく、生地を折り返して縁を形成している。これらの部片において、図において色の濃い暗い部分が、色の濃い暗い直線状の部分も含めて、伸縮パワーが強い領域であり、無着色の白い部分が、白の直線状の部分も含めて伸縮パワーが弱い領域を示していることは、図１〜図３と同様である。
前脇−脇―ヒップ部−脚部充当部片３１を構成する経編地の編み方向は、矢印８５ａ、８５ｂの矢印が示す方向である。腹部充当部片３６も含めてこれらの部片を構成する経編地の編み方向は、伸縮パワーが強い領域のうち、直線で描かれている伸縮パワーが強い領域の長さ方向と平行である。言い換えれば伸縮パワーが変化する領域の伸縮パワーの切り替えラインの方向と平行である。
前脇−脇―ヒップ部−脚部充当部片３１については、前記部片全体はナイロン糸と４４ｄｔｅｘのポリウレタン糸が、図３１で説明したようなナイロン糸とポリウレタン糸とを同行させた１×１編み組織で弾性糸と非弾性糸が共に閉じ目により編成されている。ナイロン糸としては、４４ｄｔｅｘのダル糸と３３ｄｔｅｘのブライト糸の２種類を使用した。
そして図の３９の領域、４０の領域、４１の領域のうち図において色の濃い暗い部分（色の濃い暗い直線状部分も含む）には、４４ｄｔｅｘのナイロンのダル糸が使われ４４ｄｔｅｘの前述したポリウレタン糸と１×１編み組織となり、色の白い部分は、３３ｄｔｅｘのナイロンのブライト糸が使われ前述した４４ｄｔｅｘのポリウレタン糸と１×１編み組織となっている。
ウエストを含めた上記（３９の領域）には前述の４４ｄｔｅｘのナイロンのダル糸使用の箇所には、４４ｄｔｅｘのポリウレタン糸に加え、さらに７７ｄｔｅｘのポリウレタン糸が編み込まれている（当該部分のポリウレタン糸の太さ合計４４＋７７＝１２１ｄｔｅｘ）。前述の３３ｄｔｅｘのナイロンのブライト糸使用の箇所には、更に４４ｄｔｅｘのポリウレタン１本が編み込まれており、合計４４ｄｔｅｘのポリウレタン２本が編み込まれている。（当該部分のポリウレタン糸の太さ合計４４＋４４＝８８ｄｔｅｘ）。３９の領域は、全体的には、伸縮パワーの強い領域を形成している。
ヒップの膨らみに充当する部分（４０の領域）、４４ｄｔｅｘのナイロンダル糸使いの箇所には、４４ｄｔｅｘのポリウレタン糸が合計２本編み込んまれており、３３ｄｔｅｘのナイロンブライト糸使いの箇所には、４４ｄｔｅｘのポリウレタン糸が合計１本使用されている。４０の領域は、全体的には、伸縮パワーの弱い領域を形成している。
太腿と裾の部分（４１の領域）は、ウエスト周辺の上部と同様、４４ｄｔｅｘのナイロンダル糸使用の箇所には、４４ｄｔｅｘのポリウレタン糸に加え、さらに７７ｄｔｅｘのポリウレタン糸が編み込まれており（ポリウレタン糸の太さ合計４４＋７７＝１２１ｄｔｅｘ）、３３ｄｔｅｘのナイロンブライト糸使用の箇所には、４４ｄｔｅｘのポリウレタン糸が合計２本編み込まれている（ポリウレタン糸の太さ合計４４＋４４＝８８ｄｔｅｘ）。４１の領域は、全体的には、伸縮パワーの強い領域を形成している。
４０の領域のうち色の暗い部分は、色の白い部分に比べて面積が少なくなっているので、この部分の伸縮パワーは全体としては伸縮パワーの弱い領域となる。
また、前述したように図の色の濃い暗い部分には、ダル糸であるつや消しされた糸が用いられ、色の白い部分にはブライト糸と呼ばれるより光沢感のある糸が用いられていて、図の色の暗い部分と色の白い部分とが目視可能な縞模様となって、伸縮パワーの強弱の線状ないし帯状の目視可能な模様が現れ、デザイン上、衣料の美感を向上させると同時に、伸縮パワーの強弱の機能領域を視認することができ好ましい。
そして前脇−脇―ヒップ部―脚部充当部片３１の裁断されたままの状態で縁始末不要な縁は、３２の裾ラインの縁と３３のウェストラインの縁の部分である。裾ライン３２は波形になっており、裾ライン３２の方向は当該波形の各頂点を結ぶ直線と同じ方向、すなわち矢印４２で示された方向であり、伸縮パワーが変化する領域の境界ラインの方向とは平行であるが、ウェストライン３３の方向は伸縮パワーが変化する領域の伸縮パワーの切り替えラインの方向とは２５度の角度がついており非平行である。
伸縮パワーが変化する領域の方向は、この例ではヒップの膨らみ部分は幅約１２ｃｍで伸縮パワーが弱く、ヒップの膨らみの脇側から下方部分にほぼ沿うように、伸縮パワーの強い領域４１の境界が、脇側斜め上方から後中心方向に向かって斜めに下がる方向に走っており、ヒップアップ機能を発揮するに好適な角度で伸縮パワーが変化する領域の伸縮パワーの切り替えラインの方向が決められている。そして、ウェストライン３３の方向は、伸縮パワーが変化する領域の伸縮パワーの切り替えラインの方向に拘束されず、本件ガードルに好適な方向で設計されている。尚、脚部部分は、伸縮パワーが強められており、太腿の形を整え、面全体で太腿にフィットするので、皮膚にゴムテープが食い込んだ跡などが付かず、裾部分にゴムテープなどが存在しないので、段差が生じないし、そのラインが外衣に反映し外観を低下させることがなく、裾部のずり上がりなどを防止する機能も発揮される。また、部片３１のウェスト部も、ゴムテープなどを用いずにゴムテープよりも広幅で伸縮パワーの強い領域を設けているので、ゴムテープの様に線状にウェストを強く締め付けることがなく、広幅の面で着用感を低下させずに、ウェスト部の伸縮力が強められている。従ってウェスト上辺部が分厚くならず、ウェストまわりをすっきりとした状態に保持できると共に、ゴムテープの締め付け跡が肌に残ることがない。
尚、図７に腹部充当部片３６の伸縮パワーの変化する領域について説明するための、腹部充当部片３６のみの部分の説明図を示した。腹部充当部片３６も前述したように同様の編み組織の布で作成されており、図３で説明した腹部充当部片６と形状や伸縮パワーの強弱の領域は若干異なるが、図３で説明した腹部充当部片とほぼ同様であり、上側の縁３７は、図３の縁７に対応し、各領域４３〜４５は、それぞれ図３で示した領域１３〜１５に対応している。よって、図３で説明した腹部充当部片６とほぼ同等の機能、効果を発揮するので重複説明は省略する。また、クロッチ部の図示は省略している。クロッチ部の素材は、従来よりロングガードルのクロッチ部に用いられている各種のものが使用できる。尚、腹部充当部片３６の代わりに、例えば、図４で説明したような態様の腹部充当部片を適用してもよい。
以上の如く、ウェストライン３３の方向が、伸縮パワーが変化する領域の伸縮パワーの切り替えラインの方向と必然的に平行にせざるを得ないと言うことがなく、ウェストラインは、伸縮パワーが変化する領域の伸縮パワーの切り替えラインの方向に拘束されず必要な好適な方向に設計できる。すなわちウェストライン３３の方向及び伸縮パワーが変化する領域の伸縮パワーの切り替えラインの方向は、本件ガードルに好適な方向で互いに拘束なく設計でき、着用性がより好適な衣料とすることができる。
尚、左右の前脇−脇―ヒップ部−脚部充当部片３１は、後中心の縫合ライン３４で相互に縫合されているが、部片３１はいわゆる立体裁断されている部片を後中心の縫合ライン３４で相互に縫合したものである。この立体裁断は、図示していないが、後中心側の部片の裁断ラインが、例えば図１２〜図１５の如く、後中心に向かってそれぞれ凸状の曲線ラインになっている左右対称の左右の部片を、相互に縫合して後中心の縫合ライン３４とする。そのため、左右の部片の後中心側の裁断ラインがそれぞれ直線状の部片を相互に縫合した場合と異なり、立体裁断部分の縫合部分では、伸縮パワーが変化する領域の方向、言い換えれば伸縮パワーの切り替えラインの方向が、裾部近傍の立体裁断がなされていない部分の伸縮パワーの切り替えラインの方向と、縫合前の部片を広げた状態では同じであるが、縫合後は異なってくる。通常、立体裁断部分の縫合部分では、伸縮パワーの切り替えラインの方向である脇側から後中心に向かって下がる角度がより大きくなる。図５では、これを図示すると複雑になるので、図示していない。尚、本発明において、裁断されたままの状態で縁始末不要な縁のラインの方向と、伸縮パワーが変化する領域の伸縮パワーの切り替えラインの方向とが、平行か非平行かは、当該部片の縫合前の展開状態において判別する。
以上、実施の形態例１や２では、伸縮パワーの強い、図において色の暗い箇所と、パワーの弱い白い箇所を、細かく切り替えた例を示したが、伸縮パワーの異なる領域をこれほどまで細かく切り替えずに、ヒップの下部は伸縮パワーの強い領域部分のみ（図で言えば黒い領域のみ）、ヒップの膨らみ部分は伸縮パワーの弱い領域部分のみ（図で言えば白い領域のみ）、ウエスト部分は、伸縮パワーの強い領域部分のみ（図で言えば黒い領域のみ）、とすることも可能である。
実施の形態例３
図８は本発明の裁断されたままの状態で縁始末不要な縁を有し且つ体形補整機能を有する衣料の一実施の形態例のブラジャーの主要部分の斜視図である。
図８において、５１が伸縮性のバック布、５６が着用時に左右のバック布を連結するための連結部、５４が乳房カップ、５５がストラップである。
伸縮性のバック布５１にヘミングレス部片を用いている。この部片において、図において色の濃い暗い部分が、色の濃い暗い直線状の部分も含めて、伸縮パワーが強い領域であり、無着色の白い部分が、白の直線状の部分も含めて伸縮パワーが弱い領域を示していることは、図１〜図３の場合と同様である。
この部片を構成する経編地の編み方向は矢印８５ａの示す方向であり、伸縮パワーが変化する領域の伸縮パワーの切り替えラインの方向と平行である。言い換えれば領域６０のうち色の濃い暗い直線の方向と平行である。尚、図示していないが着用者の右側にあてがわれるバック布の編み方向は８５ａの矢印とは反対向きの方向になる。
バック布５１部片については、前記部片全体は３３ｄｔｅｘのナイロン糸と４４ｄｔｅｘのポリウレタン糸が、図３２で説明したようなナイロン糸とポリウレタン糸とを同行させた１×１編み組織で、弾性糸が開き目、非弾性糸が閉じ目により編成されており、５９の領域と６１の領域部分には、１２１ｄｔｅｘのポリウレタン糸が更に重ねて編み込まれて伸縮パワーの強い領域を形成し、６０の領域のうち図の色の濃い暗い部分には、８８ｄｔｅｘのポリウレタン糸が更に重ねて編み込まれている。６０の領域のうち色の濃い暗い部分は、色の白い部分に比べて面積が少なくなっているので、この部分の伸縮パワーは全体としては伸縮パワーの小さい領域となる。そして図の色の濃い暗い部分には、ナイロンダル糸であるつや消しされた糸が用いられ、色の白い部分にはナイロンブライト糸と呼ばれるより光沢感のある糸が用いられていて、図の色の濃い暗い部分と色の白い部分とが目視可能な縞模様となって、伸縮パワーの強弱の線状ないし帯状の目視可能な模様が現れ、デザイン上、衣料の美感を向上させると同時に、その伸縮パワーの強弱の機能領域を視認できるようになっている。
そして前記バック布５１の裁断されたままの状態で縁始末不要な縁は、バック布の下側の縁５２と上側の縁５３の部分である。下側の縁５２と上側の縁５３はいずれも波形になっている。バック布の上下の縁始末不要な縁は、波形に限られず、直線状でも、波形以外の曲線状でもかまわない。また波形は、均等な波形でも、不均等な波形でもよい。この点は以下の実施の形態例についても同様である。バック布５１の下側の縁５２の縁ラインの方向は当該波形の各頂点を結ぶ直線と同じ方向、すなわち矢印６２で示された方向であり、伸縮パワーが変化する領域の伸縮パワーの切り替えラインの方向（例えば領域６０中に示された色の濃い暗い直線の方向）とは８度の角度がつけられており、非平行である。上側の縁５３の縁ラインの方向は、当該波形の各頂点を結ぶ直線と同じ方向、すなわち矢印６３で示された方向であり、伸縮パワーが変化する領域６０の伸縮パワーの切り替えラインの方向とは８度の角度がつけられており、非平行となっている。すなわち、バック布の上下の裁断されたままの状態で縁始末不要な縁を構成するラインの方向と伸縮パワーの弱い領域の境界ラインとが後中心に向かって次第に両者間の距離が近づく様に相互に非平行とされている。
尚、バック布は一番広い箇所で幅９ｃｍ、細い箇所で幅４ｃｍ、パワーの弱い部分の幅は３ｃｍとした。
伸縮パワーが変化する領域の伸縮パワーの切り替えラインの方向は、この例ではバック布５１のほぼ横方向を向いている。バック布５１は、上下部分すなわち５９の領域と６１の領域部分の伸縮パワーが強められている。そして５９の領域と６１の領域部分において、脇に近い部分の幅が大きく設計されており、脇部分の贅肉を押さえ、すっきりした脇部形状補整機能が発揮される。従来のブラジャーのバック布においては、バック布５１の上下の縁に沿ってゴムテープが設けられていたが、本実施の形態例のブラジャーのバック布５１の上下の縁にはゴムテープを縫合していないので、ゴムテープによる厚みの増大がなく、着用時の胸囲まわりのシルエットをすっきりとしたシルエットにすることができると共に、ゴムテープの締め付け跡が肌に残ることがない。すなわち伸縮パワーの強い領域部分が、ゴムテープの様に線状でなくゴムテープよりも広幅で伸縮パワーの強い領域を設けているので、ゴムテープの様に線状に強く締め付けることがなく、広幅の面で着用感を低下させずに、バック布の上下部分の伸縮力が強められている。従って、バック布が身体にフィットして、運動時に生じるずれも最小限に防止し、着崩れも防止される。
以上の如く、バック布の下側の縁５２のラインの方向と上側の縁５３のラインの方向を、伸縮パワーが変化する領域の伸縮パワーの切り替えラインの方向と必然的に平行にせざるを得ないと言うことがなく、伸縮パワーが変化する領域の伸縮パワーの切り替えラインの方向に拘束されずに、バック布の下側の縁５２のラインの方向と上側の縁５３のラインの方向を必要な好適な方向に設計できる。すなわち、バック布の下側の縁５２のラインの方向と上側の縁５３のラインの方向及び伸縮パワーが変化する領域の伸縮パワーの切り替えラインの方向は、本件ブラジャーに好適な方向で互いに拘束なく設計でき、着用性がより好適な衣料とすることができる。
尚、バック布に強度を持たせるため、２枚の前記部片を樹脂などで接着して用いてもよい。前記部片の素材１枚でも、バック布を形成することは可能であるが、本実施の形態例では、２枚の部片を樹脂接着して使用した。２枚の部片を樹脂接着する際は、２枚の部片の編み方向が同じとなる様に重ねて接着すると、接着し易い。
実施の形態例４
図９は本発明の裁断されたままの状態で縁始末不要な縁を有し且つ体形補整機能を有する衣料の別の一実施の形態例のブラジャーの主要部分の斜視図である。
図９において、５１が伸縮性のバック布、５６が着用時に左右のバック布を連結するための連結部、５４が乳房カップ、５５がストラップである。
伸縮性のバック布５１にヘミングレス部片を用いている。この部片において、図において色の濃い暗い部分が、色の濃い暗い直線状の部分も含めて、伸縮パワーが強い領域であり、無着色の白い部分が、白の直線状の部分も含めて伸縮パワーが弱い領域を示していることは、図１〜図３の場合と同様である。ナイロン糸として４４ｄｔｅｘのナイロン糸を使用しているが、そのほか実施の形態例３と同じ部分には同じ符号を付して重複説明を省略した。
前記バック布５１の裁断されたままの状態で縁始末不要な縁は、バック布の下側の縁５２と上側の縁５３の部分である。下側の縁５２と上側の縁５３はいずれも波形になっており、下側の縁５２の縁ラインの方向は当該波形の各頂点を結ぶ直線と同じ方向、すなわち矢印６２で示された方向であり、伸縮パワーが変化する領域の伸縮パワーの切り替えラインの方向（例えば領域６０中に示された色の濃い暗い直線の方向）とは平行になっている。上側の縁５３の縁ラインの方向は当該波形の各頂点を結ぶ直線と同じ方向、すなわち、矢印６３で示された方向であり、伸縮パワーが変化する領域６０の伸縮パワーの切り替えラインの方向とは１５度の角度がつけられており非平行となっている。すなわち、バック布の上側の裁断されたままの状態で縁始末不要な縁５３のラインの方向と伸縮パワーの弱い領域の伸縮パワーの切り替えラインの方向とが後中心に向かって次第に両者間の距離が近づく様に相互に非平行とされている。
尚、バック布は一番広い箇所で幅８ｃｍ、細い箇所で幅３ｃｍ、パワーの弱い部分の幅は２．５ｃｍとした。
このブラジャーも、実施の形態例３で示したブラジャーとほぼ同様の機能並びに効果が発揮されるが、実施の形態例３で示したブラジャーと若干異なるのは、領域６０をバック布のカップ側から後中心側に向かって全体的に斜め上方向に向った帯状の態様とすることにより、バック布の上縁側の伸縮パワーが強い領域５９の面積が、バック布の下縁側の伸縮パワーが強い領域６１の面積よりも大きくなり、乳房カップの略円弧状の縁のバック布との連結部のうち上方部分を安定させ、乳房カップの上方部分の身体への密着性が良くなる点である。
実施の形態例５
図１０は本発明の裁断されたままの状態で縁始末不要な縁を有し且つ体形補整機能を有する衣料の更に別の一実施の形態例のブラジャーの主要部分の斜視図である。
図１０において、５１が伸縮性のバック布、５６が着用時に左右のバック布を連結するための連結部、５４が乳房カップ、５５がストラップである。
伸縮性のバック布５１にヘミングレス部片を用いている。この部片において、図において色の濃い暗い部分が、色の濃い暗い直線状の部分も含めて、伸縮パワーが強い領域であり、無着色の白い部分が、白の直線状の部分も含めて伸縮パワーが弱い領域を示していることは、図１〜図３の場合と同様である。そのほか実施の形態例３と同じ部分には同じ符号を付して重複説明を省略した。
前記バック布５１の裁断されたままの状態で縁始末不要な縁は、バック布の下側の縁５２と上側の縁５３の部分である。下側の縁５２と上側の縁５３はいずれも波形になっており、下側の縁５２の縁ラインの方向は当該波形の各頂点を結ぶ直線と同じ方向、すなわち矢印６２で示された方向であり、伸縮パワーが変化する領域の伸縮パワーの切り替えラインの方向（例えば領域６０中に示された色の濃い暗い直線の方向）とは２０度の角度がつけられており、非平行になっている。上側の縁５３の縁ラインの方向は当該波形の各頂点を結ぶ直線と同じ方向、すなわち、矢印６３で示された方向であり、伸縮パワーが変化する領域６０の伸縮パワーの切り替えラインの方向とは平行となっている。すなわち、バック布の下側の裁断されたままの状態で縁始末不要な縁５２のラインの方向と伸縮パワーの弱い領域の伸縮パワーの切り替えラインの方向とが後中心に向かって次第に両者間の距離が近づく様に相互に非平行とされている。
尚、バック布は一番広い箇所で幅７ｃｍ、細い箇所で幅２．５ｃｍ、パワーの弱い部分の幅は２ｃｍとした。
このブラジャーも、実施の形態例３で示したブラジャーとほぼ同様の機能並びに効果が発揮されるが、実施の形態例３で示したブラジャーと若干異なるのは、領域６０をバック布のカップ側から後中心側に向かって全体的に斜め下方向に向いた様な帯状の態様とすることにより、バック布の下縁側の伸縮パワーが強い領域６１の面積が、バック布の上縁側の伸縮パワーが強い領域５９の面積よりも大きくなり、乳房カップの略円弧状の縁のバック布との連結部のうち下方部分を安定させ、乳房カップの下方部分の身体への密着性が良くなるという点である。
実施の形態例６
図１１は本発明の裁断されたままの状態で縁始末不要な縁を有し且つ体形補整機能を有する衣料の更に別の一実施の形態例のブラジャーの主要部分の斜視図である。
図１１において、５１が伸縮性のバック布、５６が着用時に左右のバック布を連結するための連結部、５４が乳房カップである。図８〜図１０のブラジャーと異なり、ストラップレスブラジャーとし、バック布の幅がカップ脇側から後中心側までほぼ同一の幅を有している。
伸縮性のバック布５１にヘミングレス部片を用いている。この部片において、図において色の濃い暗い部分が、色の濃い暗い直線状の部分も含めて、伸縮パワーが強い領域であり、無着色の白い部分が、白の直線状の部分も含めて伸縮パワーが弱い領域を示していることは、図１〜図３の場合と同様である。ナイロン糸として４４ｄｔｅｘのナイロン糸を使用しているが、そのほか実施の形態例３と同じ部分には同じ符号を付して重複説明を省略した。
前記バック布５１の裁断されたままの状態で縁始末不要な縁は、バック布の下側の縁５２と上側の縁５３の部分である。下側の縁５２と上側の縁５３はいずれも波形になっており、下側の縁５２の縁ラインの方向は当該波形の各頂点を結ぶ直径と同じ方向、すなわち矢印６２で示された方向であり、伸縮パワーが変化する領域の伸縮パワーの切り替えラインの方向（例えば領域６６中に示された色の濃い暗い直線の方向）とは１３度の角度がつけられており、非平行になっている。また、上側の縁５３の縁ラインの方向は当該波形の各頂点を結ぶ直線と同じ方向、すなわち、矢印６３で示された方向であり、伸縮パワーが変化する領域６６の伸縮パワーの切り替えラインの方向とも１３度の角度がつけられており、非平行となっている。
尚、バック布幅は６ｃｍ、パワーの強められている領域６６の幅は２．５ｃｍとした。
バック布５１は、伸縮パワーが強められている領域６６が、その上下の伸縮パワーの弱い領域６５の領域と６７の領域で挟まれており、バック布５１の上下側は、伸縮パワーの弱い領域からなるので、上下の伸縮パワーの弱い領域６５と６７が、ソフトに肌に接触し、肌を強く押圧しないので、この部分で段差が発生しないと言う利点がある。その他の点は、実施の形態例３で示したブラジャーとほぼ同様の機能並びに効果が発揮される。
尚、以上の実施の形態例３〜５で示したブラジャーは、ストラップを有するブラジャーの例を示したが、ストラップレスブラジャーとしてもよい。また、領域５９と領域６１の部分を伸縮パワーの強い領域、領域６０の部分を伸縮パワーの弱い領域としたが、目的に応じて、領域５９と領域６１の部分を伸縮パワーの弱い領域、領域６０の部分を伸縮パワーの強い領域とすることもできる。
また、実施の形態例６で示したブラジャーは、ストラップレスブラジャーの例を示したが、ストラップを有するブラジャーとしてもよい。また、領域６５と領域６７の部分を伸縮パワーの弱い領域、領域６６の部分を伸縮パワーの強い領域としたが、目的に応じて、領域６５と領域６７の部分を伸縮パワーの強い領域、領域６６の部分を伸縮パワーの弱い領域とすることもできる。
また、以上の実施の形態例３〜６で示したブラジャーは、いずれもバック布５１の裁断されたままの状態で縁始末不要な下側の縁５２と上側の縁５３の少なくとも一方の縁部分に、前記直線状の伸縮パワーの切り替えラインが到達していて、当該縁始末不要な縁が、伸縮パワーが強い部分と弱い部分が混在する縁としてもよいし、しかもその際、上端又は下端の縁の少なくとも一方の縁が、当該編地の編み方向に対し、２０〜８０度、より好ましくは３０〜６０度、より一層好ましくは４０〜５０度、最も好ましくは４５度前後（具体的には４３〜４７度）の角度で裁断された縁である本発明の好ましい態様とすることにより、裁断されたままの状態で縁始末不要な縁の身体へのフィット性が向上し、当該縁部分が、着用者の身体外側にカールすることを防止できるブラジャーとすることもできる。
尚、一般的に、本発明において、ブラジャーなどのバック布は、１枚でもバック布を形成することは可能であるが、バック布に強度を持たせるため、２枚の前記バック布に用いる部片を樹脂などで接着して用いてもよいことは、前述と同様である。
実施の形態例７
図１７は本発明の裁断されたままの状態で縁始末不要な縁を有し且つ体形補整機能を有する衣料の別の一実施の形態例のショートタイプのガードルの背面側から見た斜視図、図１８は図１７に示したショートタイプのガードルの正面側から見た斜視図、図１９は図１７、図１８に示したショートタイプのガードルの着用者の左側に相当する前脇−脇−ヒップ部充当部片１の裁断ラインを編地上に示した平面図である。
図１７〜図１９において、１が前脇−脇―背面部をカバーする前脇−脇―ヒップ部充当部片、６は腹部をカバーする腹部充当部片である。左右の前脇−脇―ヒップ部充当部片１は、後中心の縫合ライン４で相互に縫合されており、前脇−脇―ヒップ部充当部片１の前側の側縁は、腹部充当部片６の側縁と縫合ライン５で互いに縫合されている。８は前中心側裾部片である。
前脇−脇―ヒップ部充当部片１にはヘミングレス部片を用い、腹部充当部片６には、ヘミングレス部片とほぼ同様のものであるが、伸縮パワーの切り替えがない編地を用い、腹部充当部片６の上側の縁７は、裁断されたままの状態の縁としている。この前脇−脇―ヒップ部充当部片１において、９及び１１で示される領域が伸縮パワーが強い領域であり、１０で示される領域が伸縮パワーが弱い領域を示している。尚、２０ａ、２０ｂは、伸縮パワーが異なる領域の境界を示す伸縮パワーの切り替えラインである。
前脇−脇―ヒップ部充当部片１を構成する経編地の編み方向は、矢印８５ａ、８５ｂの矢印が示す方向である。この部片１を構成する経編地の編み方向は、伸縮パワーが弱い領域１０の長さ方向と平行であり、言い換えれば伸縮パワーが変化する領域の伸縮パワーの切り替えライン２０ａ、２０ｂの方向と平行である。
前脇−脇―ヒップ部充当部片１は、図３１で説明したようなナイロン糸とポリウレタン糸とを同行させた１×１編み組織で、弾性糸、非弾性糸共に閉じ目で、１インチ（２．５４ｃｍ）当たり７０ウェールの編み密度で編成されている。
そして伸縮パワーが強い領域９及び１１には、３３ｄｔｅｘのナイロンダル糸のナイロン糸と１２１ｄｔｅｘのポリウレタン糸が用いられ、伸縮パワーが弱い領域１０には、３３ｄｔｅｘのナイロンブライト糸と７７ｄｔｅｘのポリウレタン糸が用いられている。
前述したようにダル糸であるつや消しされた糸が用いられている部分と、ブライト糸と呼ばれるより光沢感のある糸が用いられていることにより、領域９、１０、１１の部分が目視可能な縞模様となって現れ、デザイン上、衣料の美感を向上させると同時に、伸縮パワーの強弱の機能領域を視認することができ好ましい。
そして前脇−脇―ヒップ部充当部片１の裁断されたままの状態で縁始末不要な縁は、２の裾ラインの縁と３のウェストラインの縁の部分である。裾ライン２は波形になっており、裾ライン２の方向は当該波形の各頂点を結ぶ直線と同じ方向、すなわち矢印１２（図１９参照）で示された方向であり、伸縮パワーが変化する領域の伸縮パワーの切り替えライン２０ａや２０ｂの方向（編み方向８５ａ、８５ｂ）とは５度の角度がついており若干非平行となっている。ウェストライン３の方向も編み方向８５ａ、８５ｂの方向に対し角αが約４０度の角度で裁断されている。前脇−脇―ヒップ部充当部片１の裁断されたままの状態で縁始末不要な縁であるウェストライン３には、前記直線状の伸縮パワーの切り替えライン２０ａが到達していて、当該縁始末不要な縁が、伸縮パワーが強い部分９と弱い部分１０が混在する縁となっている。
伸縮パワーが変化する領域は、この例では伸縮パワーが弱い領域１０がヒップの膨らみ部分を通り、その幅が約７ｃｍでヒップの丸い膨らみをつぶさずに美しく保ち、ヒップの膨らみの脇側から下方部分にほぼ沿うように伸縮パワーの強い領域１１が脇側斜め上から後中心に向かって斜めに下がる方向に設けられていて、ヒップアップ機能を発揮するに好適な角度（この場合には上述したウェストライン３の方向に対し約４０度）で伸縮パワーが変化する領域の伸縮パワーの切り替えラインの方向が決められている。即ち、伸縮パワーの強い領域１１の伸縮パワーの切り替えライン２０ｂの方向が、先の実施の形態例１や２で示したガードルに比べて、後中心から“Ｖ”字状に、より一層“Ｖ”字の角度が急になっており、身体後中心側にヒップの形状を寄せて上方に持ち上げる機能がより強く発揮される。しかもウェストライン３は、当該編地の編み方向８５ａ、８５ｂに対し、約４０度の角度で裁断された縁（図１９、図１７の角αが約４０度）であるので、ウェストライン３の縁が着用者の身体外側にカールすることがなく、フィット性が良好になる。
上記の様に、裾ライン２の方向とウェストライン３の方向は、伸縮パワーが変化する領域の伸縮パワーの切り替えラインの方向に拘束されず、本件ガードルに好適な方向で設計されている。また、上記部片のウェスト部も、ゴムテープなどを用いずにゴムテープよりも広幅で伸縮パワーの強い領域９を設けているので、ゴムテープの様に線状にウェストを強く締め付けることがなく、厚みが増大しないので着用時のウェストまわりのシルエットをすっきりとしたシルエットにすることができると共に、ゴムテープの締め付け跡が肌に残ることがない。また、上記裾まわりも同様である。
尚、腹部充当部片６は、この例では特に伸縮パワーの異なる領域は設けずに、伸縮パワー変化のない均質な伸縮性経編地を用いた。腹部充当部片６も１×１のトリコットである前述した編み組織の布で作成されており、上側の縁７は前述したように、裁断されたままの状態で縁始末不要な縁としている。腹部充当部片６は４４ｄｔｅｘのナイロン糸と１５４ｄｔｅｘのポリウレタン糸を用い、図３２で説明したようなナイロン糸とポリウレタン糸とを同行させた１×１編み組織で、弾性糸が開き目、非弾性糸が閉じ目で編まれた編地を用いている。この編地の編み方向は、そのウェストラインの方向に平行な方向である。尚、腹部充当部片６としては、必要に応じて、図３や図４で説明したような、伸縮パワーの変化のある編地を用いてもよいし、非弾性糸としてブライト糸とダル糸を用いて、目視可能な縞模様を形成してもよい。
また、前中心側裾部片８は、この例では、特に伸縮パワーの異なる領域は設けずに、４４ｄｔｅｘのナイロン糸と１５４ｄｔｅｘのポリウレタン糸を用い、図３１で説明したようなナイロン糸とポリウレタン糸とを同行させた伸縮パワー変化のない均質な１×１のトリコットで作成されており、縁部が裁断されたままの状態で縁始末不要な縁１６としている。しかし、縁部が従来の糸抜きの方法で得られた縁始末不要な縁１６が形成されている編み物を用いてもよい。
以上の如く、前脇−脇―ヒップ部充当部片１の裾ライン２の方向とウェストライン３の方向が、伸縮パワーが変化する領域の伸縮パワーの切り替えラインの方向と必然的に平行にせざるを得ないと言うことがなく、伸縮パワーが変化する領域の伸縮パワーの切り替えラインの方向に拘束されず必要な好適な方向に設計できる。すなわち、裾ライン２の方向とウェストライン３の方向及び伸縮パワーが変化する領域の伸縮パワーの切り替えラインの方向は、本件ガードルに好適な方向で互いに拘束なく設計でき、着用性がより好適な衣料とすることができる。しかもこのガードルは、上述したようによりヒップアップ機能が強化され、ウェストライン３の縁が着用者の身体外側にカールすることがない、フィット性が良好なガードルを提供できる。
尚、本ガードルにおいて、クロッチの左右両側部以外の縁を、全て端部始末不要な縁とすることができ、身体の立体形状に添いながら、段差がなく、かつ端部のフィット性も良いガードルが形成できる。クロッチの左右両側部も、裁断したままの端部始末不要としても良い。一方、クロッチの内側には、弾性糸を含まない綿などの素材とした方が着用感が良いため、通常は、弾性糸を含んだクロッチ本体布と、綿布等を縫合して用いている。
実施の形態例８
図２０は本発明の裁断されたままの状態で縁始末不要な縁を有し且つ体形補整機能を有する衣料の更に別の一実施の形態例のショートタイプのガードルの背面側から見た斜視図、図２１は図２０に示したショートタイプのガードルの正面側から見た斜視図、図２２は図２０、図２１に示したショートタイプのガードルの着用者の左側に相当する前脇−脇−ヒップ部充当部片１の裁断ラインを編地上に示した平面図である。
図２０〜図２２において、１が前脇−脇―背面部をカバーする前脇−脇―ヒップ部充当部片、６は腹部をカバーする腹部充当部片である。左右の前脇−脇―ヒップ部充当部片１は、後中心の縫合ライン４で相互に縫合されており、前脇−脇―ヒップ部充当部片１の前側の側縁は、腹部充当部片６の側縁と縫合ライン５で互いに縫合されている。８は前中心側裾部片である。
図２０〜図２２に示したガードルは、前脇−脇―ヒップ部充当部片１において、伸縮パワーが変化する領域が、伸縮パワーが強い領域９、１１、伸縮パワーが中程度の領域２１、２２、伸縮パワーが弱い領域１０の３つのグレードになっている点を除いて、図１７〜図１９に示したガードル（実施の形態例７）と同様である。従って実施の形態例７と同じ部分には同じ符号を付して重複説明を省略した。特に断らない限り、上記の点を除いて、編み組織や使用した繊維なども同様であると言う事を意味する。
前脇−脇―ヒップ部充当部片１にはヘミングレス部片を用い、この前脇−脇―ヒップ部充当部片１において、９及び１１で示される領域が伸縮パワーが強い領域であり、１０で示される領域が伸縮パワーが弱い領域であり、２１、２２で示される領域が伸縮パワーが中程度の領域である。尚、２０ａ、２０ｂ、２０ｃ、２０ｄは、伸縮パワーが異なる領域の境界を示す伸縮パワーの切り替えラインである。
前脇−脇―ヒップ部充当部片１を構成する経編地の編み方向は、矢印８５ａ、８５ｂの矢印が示す方向である。この部片１を構成する経編地の編み方向は、伸縮パワーが弱い領域１０の長さ方向と平行であり、言い換えれば伸縮パワーが変化する領域の伸縮パワーの切り替えライン２０ａ、２０ｂ、２０ｃ、２０ｄの方向と平行である。
前脇−脇―ヒップ部充当部片１は、図３１で説明したようなナイロン糸とポリウレタン糸とを同行させた１×１編み組織で、弾性糸および非弾性糸共に閉じ目で編まれている。
そして伸縮パワーが強い領域９及び１１には、４４ｄｔｅｘのナイロンダル糸と１２１ｄｔｅｘのポリウレタン糸が用いられ、伸縮パワーが弱い領域１０には、４４ｄｔｅｘのナイロンダル糸と７７ｄｔｅｘのポリウレタン糸が用いられ、また伸縮パワーが中程度の領域２１と２２には４４ｄｔｅｘのポリウレタン糸が２本（ポリウレタン糸の太さ合計８８ｄｔｅｘ）と４４ｄｔｅｘのナイロンブライト糸が編み込まれている。
前述したようにダル糸であるつや消しされた糸が用いられている部分と、ブライト糸と呼ばれるより光沢感のある糸が用いられていることにより、領域９、１０、１１、２１、２２の部分が目視可能な縞模様となって現れ、デザイン上、衣料の美感を向上させると同時に、伸縮パワーの強弱の機能領域を視認することができ好ましい。
前脇−脇―ヒップ部充当部片１の裁断されたままの状態で縁始末不要な縁であるウェストライン３には、前記直線状の伸縮パワーの切り替えライン２０ａ、２０ｃが到達していて、当該縁始末不要な縁が、伸縮パワーが強い部分９と中程度の部分２１と弱い部分１０が混在する縁となっている。
弾性糸による伸縮パワーの強弱差のある領域を３段階以上設ける場合は、弱い領域と強い領域の間に、中の領域を設けると、中の領域が、強弱領域間の緩衝となる。特に、強弱領域の、伸縮パワー差の大きい場合に好ましい。
伸縮パワーが変化する領域は、この例では伸縮パワーが弱い領域１０がヒップの膨らみ部分を通り、その幅が約８ｃｍで、その両側に伸縮パワーが中程度の領域２１、２２（この例では、その幅合計１０ｃｍとした。尚、伸縮パワーが中程度の領域の幅は、求める体形補整機能により定めるが、強弱領域の緩衝としては、１ｃｍ〜３ｃｍ程度の細幅でも十分である。）が設けられていて、ヒップの丸い膨らみをより美しく整え、ヒップの膨らみの脇側から下方部分にほぼ沿うように伸縮パワーの強い領域１１が脇側斜め上から後中心に向かって斜めに下がる方向に設けられていて、ヒップアップ機能を発揮するに好適な角度（この場合には上述したウェストライン３の方向に対し約４０度）で伸縮パワーが変化する領域の伸縮パワーの切り替えラインの方向が決められている。即ち、伸縮パワーの強い領域１１の伸縮パワーの切り替えライン２０ｄの方向が、先の実施の形態例１や２で示したガードルに比べて、後中心から“Ｖ”字状に、より一層“Ｖ”字の角度が急になっており、身体後中心側にヒップの形状を寄せて上方に持ち上げる機能がより強く発揮される。しかもウェストライン３は、当該編地の編み方向８５ａ、８５ｂに対し、約４０度の角度で裁断された縁（図２０、図２２の角αが約４０度）であるので、ウェストライン３の縁が着用者の身体外側にカールすることがなく、フィット性が良好になる。その他の点は、実施の形態例７で示したガードルとほぼ同様の機能並びに効果が発揮される。
実施の形態例９
図２３は本発明の裁断されたままの状態で縁始末不要な縁を有し且つ体形補整機能を有する衣料の更に別の一実施の形態例のショートタイプのガードルの背面側から見た斜視図、図２４は図２３に示したショートタイプのガードルの正面側から見た斜視図である。このショートタイプのガードルは、非弾性糸におけるダル糸とブライト糸の使い分けが異なり、従って、ダル糸とブライト糸によって形成される縞模様が異なってくる点を除いては、実質的に図１７〜図１９を用いて説明した実施の形態例７のショートタイプのガードルとほぼ同様のガードルである。
図２３〜図２４において、１が前脇−脇―背面部をカバーする前脇−脇―ヒップ部充当部片、６は腹部をカバーする腹部充当部片である。左右の前脇−脇―ヒップ部充当部片１は、後中心の縫合ライン４で相互に縫合されており、前脇−脇―ヒップ部充当部片１の前側の側縁は、腹部充当部片６の側縁と縫合ライン５で互いに縫合されている。８は前中心側裾部片である。
前脇−脇―ヒップ部充当部片１にはヘミングレス部片を用い、腹部充当部片６には、ヘミングレス部片とほぼ同様のものであるが、弾性糸による伸縮パワーの切り替えはなく、用いる非弾性糸としてダル糸とブライト糸を用いて縞模様が形成されている編地を用いた。また、腹部充当部片６の上側の縁７も、裁断されたままの状態の縁である。この前脇−脇―ヒップ部充当部片１において、９及び１１で示される領域が伸縮パワーが強い領域であり、１０で示される領域が伸縮パワーが弱い領域を示している。尚、２０ａ、２０ｂは、伸縮パワーが異なる領域の境界を示す伸縮パワーの切り替えラインである。
前脇−脇―ヒップ部充当部片１は、図３１で説明したようなナイロン糸とポリウレタン糸とを同行させた１×１編み組織で編まれている。
そして伸縮パワーが強い領域９及び１１には、４４ｄｔｅｘのナイロンのダル糸と３３ｄｔｅｘのナイロンのブライト糸と１４３ｄｔｅｘのポリウレタン糸が用いられ、伸縮パワーが弱い領域１０には、３３ｄｔｅｘのナイロンのブライト糸と７７ｄｔｅｘのポリウレタン糸が用いられている。尚、図において色の濃い暗い部分がナイロンのダル糸が用いられている部分であり、無着色の白い部分がナイロンのブライト糸が使用されている部分である。
伸縮パワーが変化する領域は、この例では伸縮パワーが弱い領域１０がヒップの膨らみ部分を通り、その幅が約９ｃｍである。
尚、腹部充当部片６は、この例では特に弾性糸に基づく伸縮パワーの異なる領域は設けずに、非弾性糸であるナイロンのブライト糸とダル糸を用いて目視可能な縞模様が形成された伸縮性経編地を用いた。腹部充填部片６も１×１のトリコットである前述した編み組織の布で作成されていて、上側の縁７は裁断されたままの状態で縁始末不要な縁とした。腹部充当部片６は４４ｄｔｅｘのナイロンのダル糸と３３ｄｔｅｘのナイロンのブライト糸と１５４ｄｔｅｘのポリウレタン糸を用い、図３１で説明したようなナイロン糸とポリウレタン糸とを同行させた１×１編み組織で編まれた編地を用いている。尚、図において色の濃い暗い部分がナイロンのダル糸が用いられている部分であり、無着色の白い部分がナイロンのブライト糸が使用されている部分である。この編地の編み方向は、そのウェストラインの方向に平行な方向である。
その他の点は、実施の形態例７で示したガードルとほぼ同様であり、同様の機能並びに効果が発揮されるので、重複説明を省略した。
実施の形態例１０
図２５は本発明の裁断されたままの状態で縁始末不要な縁を有し且つ体形補整機能を有する衣料の更に別の一実施の形態例のショートタイプのガードルの背面側から見た斜視図、図２６は図２５に示したショートタイプのガードルの正面側から見た斜視図である。
図２５〜図２６に示したガードルは、前脇−脇―ヒップ部充当部片１において、伸縮パワーが変化する領域が、伸縮パワーが強い領域９、１１、伸縮パワーが中程度の領域２１、２２、伸縮パワーが弱い領域１０の３つのグレードになっている点を除いて、図２３〜図２４に示したガードル（実施の形態例９）と同様である。
図２５〜図２６において、１が前脇−脇―背面部をカバーする前脇−脇―ヒップ部充当部片、６は腹部をカバーする腹部充当部片である。左右の前脇−脇―ヒップ部充当部片１は、後中心の縫合ライン４で相互に縫合されており、前脇−脇―ヒップ部充当部片１の前側の側縁は、腹部充当部片６の側縁と縫合ライン５で互いに縫合されている。８は前中心側裾部片である。
前脇−脇―ヒップ部充当部片１にはヘミングレス部片を用い、この前脇−脇―ヒップ部充当部片１において、９及び１１で示される領域が伸縮パワーが強い領域であり、１０で示される領域が伸縮パワーが弱い領域であり、２１、２２で示される領域が伸縮パワーが中程度の領域である。尚、２０ａ、２０ｂ、２０ｃ、２０ｄは、伸縮パワーが異なる領域の境界を示す伸縮パワーの切り替えラインである。
前脇−脇―ヒップ部充当部片１は、図３１で説明したようなナイロン糸とポリウレタン糸とを同行させた１×１編み組織で、弾性糸、非弾性糸共に同じ目で編まれている。ナイロン糸には３３ｄｔｅｘのブライト糸と４４ｄｔｅｘのダル糸とを用いた。図において色の濃い暗い部分がナイロンのダル糸が用いられている部分であり、無着色の白い部分がナイロンのブライト糸が使用されている部分である。
そして伸縮パワーが強い領域９及び１１には、前述したナイロン糸と１２１ｄｔｅｘのポリウレタン糸が用いられ、伸縮パワーが弱い領域１０には、３３ｄｔｅｘのナイロンのブライト糸と７７ｄｔｅｘのポリウレタン糸が用いられ、また伸縮パワーが中程度の領域２１と２２には４４ｄｔｅｘのポリウレタン糸が２本（ポリウレタン糸の太さ合計８８ｄｔｅｘ）と前述したナイロン糸が編み込まれている。
伸縮パワーが変化する領域は、この例では伸縮パワーが弱い領域１０がヒップの膨らみ部分を通り、その幅が約７ｃｍで、その両側に伸縮パワーが中程度の領域２１、２２（その幅合計１２ｃｍ）が設けられている。
更に、図２５からも理解されるように、ウェストラインの一部を底辺とし、後中心線４の下方に頂点２４を有していて後中心線４で左右ほぼ線対称の逆三角形状の領域が伸縮パワーの強い領域９からなり、前記逆三角形状の領域の底辺の長さが、後側のウェストライン３の長さの約２／３の長さであり、前記逆三角形状の領域のウェストライン３から前記逆三角形の頂点２４までの後中心線４上における長さが、このガードルのウェストラインからクロッチ部までの後中心線４の長さの約１／２の長さである逆三角形状の伸縮パワーの強い領域を有しているので、この逆三角形状の伸縮パワーの強い領域９が当接される部分は、身体後側で身体が窪んでいる領域であり、より具体的には身体の仙骨部位近傍は、身体が窪んでいるが、これら身体後側の窪んでいる部位へのフィット性を向上できる。その他の点については、実施の形態例７や９における説明とほぼ同様であり、ほぼ同様の機能や効果も達成し得るので、同様の点については、重複説明を省略した。
尚、腹部充当部片６については、実施の形態例９と同様の素材を用いた。
このガードルは、身体の仙骨部位近傍などの身体後側の窪んでいる部位へのフィット性を向上させる機能を発揮すると共に、その他の点は、実施の形態例７や９で説明したと同様であり、ほぼ同様の機能並びに効果も達成される。
実施の形態例１１
図２７は本発明の裁断されたままの状態で縁始末不要な縁を有し且つ体形補整機能を有する衣料の更に別の一実施の形態例のショートタイプのガードルの背面側から見た斜視図である。
図２７〜図２８において、１が前脇−脇―背面部をカバーする前脇−脇―ヒップ部充当部片、６は腹部をカバーする腹部充当部片である。左右の前脇−脇―ヒップ部充当部片１は、後中心の縫合ライン４で相互に縫合されており、前脇−脇―ヒップ部充当部片１の前側の側縁は、腹部充当部片６の側縁と縫合ライン５で互いに縫合されている。８は前中心側裾部片である。
前脇−脇―ヒップ部充当部片１にはヘミングレス部片を用い、腹部充填部片６には、ヘミングレス部片とほぼ同様のものであるが、伸縮パワーの切り替えがない編地を用い、腹部充当部片６の上側の縁７は、裁断されたままの状態の縁とした。この前脇−脇―ヒップ部充当部片１において、９及び１１で示される領域が伸縮パワーが強い領域であり、２１で示される領域が伸縮パワーが中程度の領域、１０で示される領域が伸縮パワーが弱い領域を示している。尚、２０ａ、２０ｂ、２０ｃは、伸縮パワーが異なる領域の境界を示す伸縮パワーの切り替えラインである。
前脇−脇―ヒップ部充当部片１は、図３１で説明したようなナイロン糸とポリウレタン糸とを同行させた１×１編み組織で編まれている。
そして伸縮パワーが強い領域９及び１１には、４４ｄｔｅｘのナイロンのブライト糸と１２１ｄｔｅｘのポリウレタン糸が用いられ、伸縮パワーが中程度の領域２１には、４４ｄｔｅｘのナイロンのブライト糸と７７ｄｔｅｘのポリウレタン糸が用いられ、伸縮パワーが弱い領域１０には、４４ｄｔｅｘのナイロンのダル糸と３３ｄｔｅｘのポリウレタン糸が用いられている。
その他の点については、特に断らない限り、実施の形態例７や９と同様の点については、同一の符号を付して、重複説明を省略した。
伸縮パワーが変化する領域は、この例では伸縮パワーが弱い領域１０がヒップの膨らみ部分を通り、その幅が約６ｃｍである。
更に、図２７からも理解されるように、ウェストラインの一部を底辺とし、後中心線４の下方に頂点２４を有していて後中心線４で左右ほぼ線対称の逆三角形状の領域が伸縮パワーの強い領域９からなり、前記逆三角形状の領域の底辺の長さが、後側のウェストライン３の長さの約１／２の長さであり、前記逆三角形状の領域のウェストライン３から前記逆三角形の頂点２４までの後中心線４上における長さが、このガードルのウェストラインからクロッチ部までの後中心線４の長さの約１／３の長さである逆三角形状の伸縮パワーの強い領域を有しているので、この逆三角形状の伸縮パワーの強い領域９が当接される部分は、身体後側で身体が窪んでいる領域であり、より具体的には身体の仙骨部位近傍は、身体が窪んでいるが、これら身体後側の窪んでいる部位へのフィット性を向上できる。
このガードルは、身体の仙骨部位近傍などの身体後側の窪んでいる部位へのフィット性を向上させる機能を発揮すると共に、その他の点は、実施の形態例７や９で説明したと同様であり、ほぼ同様の機能並びに効果も達成される。
実施の形態例１２
図２９は本発明の裁断されたままの状態で縁始末不要な縁を有し且つ体形補整機能を有する衣料の更に別の一実施の形態例のショートタイプでローウェストタイプのガードルの背面側から見た斜視図、図３０は図２９に示したショートタイプのガードルの正面側から見た斜視図である。
図２９〜図３０において、１が前脇−脇―背面部をカバーする前脇−脇―ヒップ部充当部片、６は腹部をカバーする腹部充当部片である。左右の前脇−脇―ヒップ部充当部片１は、後中心の縫合ライン４で相互に縫合されており、前脇−脇―ヒップ部充当部片１の前側の側縁は、腹部充当部片６の側縁と縫合ライン５で互いに縫合されている。８は前中心側裾部片である。
前脇−脇―ヒップ部充当部片１にはヘミングレス部片を用い、９及び１１で示される領域が伸縮パワーが強い領域であり、１０で示される領域が伸縮パワーが弱い領域であり、２１、２２で示される領域が伸縮パワーが中程度の領域である。尚、２０ａ、２０ｂ、２０ｃ、２０ｄは、伸縮パワーが異なる領域の境界を示す伸縮パワーの切り替えラインである。
尚、特に断らない限り、実施の形態例７や９と同様の点については、同一の符号を付して、重複説明を省略した。
前脇−脇―ヒップ部充当部片１は、図３１で説明したようなナイロン糸とポリウレタン糸とを同行させた１×１編み組織で編まれている。ナイロン糸としては３３ｄｔｅｘのブライト糸と３３ｄｔｅｘのダル糸とを用いた。
そして伸縮パワーが強い領域９及び１１には、前述したナイロン糸と１３２ｄｔｅｘのポリウレタン糸が用いられ、伸縮パワーが弱い領域１０には、前述したナイロン糸と４４ｄｔｅｘのポリウレタン糸が用いられ、また伸縮パワーが中程度の領域２１と２２には前述したナイロン糸と７７ｄｔｅｘのポリウレタン糸がが編み込まれている。
そして前脇−脇―ヒップ部充当部片１の裁断されたままの状態で縁始末不要な縁は、２の裾ラインの縁と３のウェストラインの縁の部分である。裾ライン２は波形になっており、裾ライン２の方向は当該波形の各頂点を結ぶ直線と同じ方向、すなわち矢印１２で示された方向であり、伸縮パワーが変化する領域の伸縮パワーの切り替えライン２０ａ、や２０ｂ、２０ｃ、２０ｄの方向（編み方向８５ａ、８５ｂ）とは５度の角度がついており非平行となっている。ウェストライン３の方向も編み歩行８５ａ、８５ｂの方向に対し約３５度の角度で裁断されている。前脇−脇―ヒップ部充当部片１の裁断されたままの状態で縁始末不要な縁であるウェストライン３には、前記直線状の伸縮パワーの切り替えライン２０ａ、２０ｃが到達していて、当該縁始末不要な縁が、伸縮パワーが強い部分９と中程度の部分２１と弱い部分１０が混在する縁となっている。
伸縮パワーが変化する領域は、この例では伸縮パワーが弱い領域１０がヒップの膨らみ部分を通り、その幅が約６ｃｍで、その両側に伸縮パワーが中程度の領域２１、２２（その幅合計１０ｃｍ）が設けられている。
また、前中心側裾部片８は、この例では、従来の伸縮性のメッシュ調パワーネットであって、縁部が従来の糸抜きの方法で得られた縁始末不要な縁１６が形成されている編み物を用いた。但し、裁断されたままの状態で縁始末不要な縁を有する部片を用いてもよい。
このガードルも、実施の形態例７などで説明したとほぼ同様の機能や効果が発揮される。
以上、いくつかの実施の形態例について説明したが、これらの具体的な実施の形態例に記載の態様に限らず、衣料縁部を裁断したままの縁部始末を行わない（不要な）縁部とする場合の、素材の編み組織は、下記いずれかが好ましい。
▲１▼弾性糸と非弾性糸を同行させた１×１編み組織で、弾性糸が開き目、非弾性糸が閉じ目。
▲２▼弾性糸と非弾性糸を同行させた１×１編み組織で、弾性糸、非弾性糸共に閉じ目。
また、比較的伸縮パワーの強い部分と比較的伸縮パワーの弱い部分などの伸縮パワーは、衣料の種類、衣料の部位、着用者の好みによって、適宜設定すればよいので、特に制限はない。近年は、比較的女性の体型もスリムになってきているので、平均的にやや伸縮パワーの弱めのものが好まれる傾向にある。
従って、伸縮パワーの具体的値は特に限定するものではないが、比較的伸縮パワーの強い部分の伸縮パワーとしては、素材縦方向（ウェール方向）で７８５〜１４７１ｍＮ（８０〜１５０ｇｆ）の伸縮パワーの範囲から適宜選定することが好ましい。また、比較的伸縮パワーの弱い部分の伸縮パワーとしては素材縦経方向（ウェール方向）で５８８〜１１７７ｍＮ（６０〜１２０ｇｆ）の範囲から適宜選定することが好ましい。尚、伸縮パワーの弱い部分と伸縮パワーの強い部分の伸縮パワーの比率は、伸縮パワーの弱い部分を１とすると、伸縮パワーの強い部分は１．１〜１．５が好ましく、より好ましくは１．２〜１．５、更に一層好ましくは１．３〜１．５の範囲である。
部片（Ｐ）の伸縮パワーを測定する必要がある場合には、次の引張り試験を行って測定することができる。
素材経方向（ウェール方向）が試験片の長さ方向になるように幅２．５ｃｍ×長さ１６．０ｃｍの試験片を作成し、その長さ方向を上下方向に向けてその両端をクリップでつかむ。上部つかみ長さを２．５ｃｍ、下部つかみ長さを３．５ｃｍとし、従ってつかみ間隔は１０．０ｃｍとして定速伸長形引張試験機（島津製作所“オートグラフ”ＡＧ−５００Ｄ）に取り付け、３０±２ｃｍ／分の速度で試験片を伸度８０％まで伸ばす。この際、伸度３０％時点で試験片に掛かっている応力を記録しこれを伸長パワー（単位ｍＮ）とし、次に伸度８０％まで伸ばした試験片に掛かる応力を取り去ると、試験片が元の長さに戻ろうとして収縮するが、伸度３０％まで回復した時の試験片に掛かる応力を伸縮パワー（単位ｍＮ）とする。これらの値は、上記引張試験機により自動的に記録される様に設定しておく。尚、伸長パワー、伸縮パワーとも、これらのデータは試験片２つの平均値を求めてそれぞれ伸長パワー、伸縮パワーとした。
ここで、伸度（％）とは、伸ばした状態で伸び方向の試験片の長さをｄ、伸ばす前の試験片の元の長さ（すなわちつかみ間隔）をｅとすると、［（ｄ−ｅ）／ｅ］×１００の値である。
尚、伸長パワーや伸縮パワーの測定の際に試験片の大きさとしては、前述のような大きさのものを用いることが好ましいが、かかる大きさの試料が測定対象の衣料から切り出せない場合にはそれより小さくして測定しても差し支えない（ただし換算必要）。しかし、試験片の大きさが小さくなるほど、測定誤差が大きくなるので、切り出せる範囲でできるだけ大きな試験片を採取して測定することが好ましい。
尚、各実施の形態例で用いた裁断されたままの状態で縁始末不要な縁を有する伸縮性の経編地からなる部片用の経編地は、ヒートセット処理を７チャンバー構成（チャンバーの合計長さが約２１ｍ）の装置を用いて、１８ｍ／分で行った。また、各実施の形態例で用いた前記伸縮性の経編地からなる部片用の経編地の編み密度（ウエール）、非弾性糸のランナーと弾性糸のランナーは、次の表１の通りである。
0003634859.tif 000002
産業上の利用可能性
本発明の体形補整機能を有する衣料は、以下に記載されるような効果を奏する。
（１）すなわち本発明の体形補整機能を有する衣料は、裁断されたままの状態で縁始末不要な縁を有し、且つ編み方向に対しほぼ直角の方向に伸縮パワーが変化する領域とを同時に１枚の編地中に有し、当該伸縮パワーの切り替えラインが直線状である伸縮性の経編地からなる部片を、衣料を構成する生地の少なくとも一部に用いた衣料上端又は下端の縁の少なくとも一方の縁が当該裁断されたままの状態で縁始末不要な縁からなる体形補整機能を有する衣料であって、当該部片の前記伸縮パワーが変化する領域の伸縮パワーの切り替えラインの方向と、当該衣料の縁始末不要な裁断されたままの状態の縁のラインのうち少なくとも一つの縁のラインの方向とが、相互に非平行である部片を用いている。従って、本発明は、伸縮パワーの変化する領域の伸縮パワーの切り替えラインの方向と、縁始末不要な縁のラインの方向とが、必然的に平行になってしまうと言う拘束がなく、それぞれのラインを必要に応じた好適な方向に設計でき、衣料として最適の着用性、デザイン性を有する体形補整機能を有する衣料とすることが可能になる。縁始末不要な縁となっている部分は、折り返して縫合するなどの縁始末がされていないので、その部分の厚みがフラットになり、分厚くならず、従って、着用感に優れ、当該部分の段差がないので、アウターウェアーに段差が反映することもない。また、伸縮パワーの変化する領域も弾性糸の編み込みによって形成されているので、当て布により伸縮パワーの変化を持たせた場合に比べて、段差が生じないので、アウターウェアーに段差が反映することもない。尚、縁始末不要な縁は、縁始末をする必要がないので、コスト的にも有利になる。従って、機能性、ファッション性、経済性に優れた衣料とすることができる。
（２）前記（１）項記載の体形補整機能を有する衣料において、伸縮パワーが変化する領域が、（ａ）編み込む弾性糸の太さが異なる複数の領域を形成する方式、（ｂ）編み込む弾性糸の本数が異なる複数の領域を形成する方式、（ｃ）前記（ａ）又は（ｂ）の各領域の幅を変化させる方式、（ｄ）前記（ａ）、（ｂ）、（ｃ）の方式の少なくとも２つ以上を組み合わせた方式のいずれかの方式により形成されている本発明の好ましい態様とすることにより、目的とする伸縮パワーを、細かくコントロールして設定でき、容易に伸縮パワーが変化する領域を形成でき好ましい。
（３）また、前記（１）項または（２）項に記載の体形補整機能を有する衣料において、衣料上端又は下端の縁の少なくとも一方の裁断されたままの状態で縁始末不要な縁に、前記直線状の伸縮パワーの切り替えラインが到達していて、当該縁始末不要な縁が、伸縮パワーが強い部分と弱い部分が混在する縁となっている本発明の好ましい態様とすることにより、従来の縁始末不要な縁を有する衣料では、一枚の編地において達成できない伸縮パワーが強い部分と弱い部分が混在する縁始末不要な縁を有する衣料を提供できる。従って、従来の縁始末不要な縁を有する衣料では実現できない、伸縮パワーの切り替えラインが縁始末不要な縁のラインの方向にあまり拘束されることなく、より自由に設計でき、よって、部位に応じたフィット性の要求に、より適合し易い設計の自由度の増大した衣料を提供することができ好ましい。
（４）また、前記（１）〜（３）項のいずれかに記載の体形補整機能を有する衣料において、衣料上端又は下端の縁の少なくとも一方の裁断されたままの状態で縁始末不要な縁が、当該編地の編み方向に対し、２０〜８０度の角度で裁断された縁である本発明の好ましい態様とすることにより、裁断されたままの状態で縁始末不要な縁の身体へのフィット性が向上し、当該縁部分が、着用者の身体外側にカールすることを防止でき好ましい。
（５）また、前記（１）〜（３）項のいずれかに記載の体形補整機能を有する衣料において、裁断されたままの状態で縁始末不要な縁からなる衣料上端又は下端の縁の少なくとも一方の縁が、当該編地の編み方向に対し、４０〜５０度の角度で裁断された縁である本発明の好ましい態様とすることにより、裁断されたままの状態で縁始末不要な縁の身体へのフィット性がより一層向上し、当該縁部分が、着用者に身体外側にカールすることをより一層防止し易くなり好ましい。
（６）また、前記（１）項または（２）項に記載の体形補整機能を有する衣料において、裁断されたままの状態で縁始末不要な縁が、衣料の裾であり、且つ当該裾の縁ラインの方向と、当該部片の伸縮パワーが変化する領域の伸縮パワーの切り替えラインの方向とが相互に非平行である本発明の好ましい態様とすることにより、伸縮パワーの変化する領域の伸縮パワーの切り替えラインの方向と、縁始末不要な裾ラインの方向とが、必然的に平行になってしまうと言う拘束がなく、それぞれのラインを必要に応じた好適な方向に設計でき、衣料としての最適の着用性、デザイン性を有する体形補整機能を有する衣料とすることが可能になり好ましい。
（７）また、前記（１）項〜（６）項のいずれかに記載の体形補整機能を有する衣料において、衣料全体が身体に密着するヒップ部を有する衣料である本発明の好ましい態様とすることにより、体形補整機能と共に、着用感もよく、また段差が極力少なくされ、フラットに近い衣料となり、本発明の前記機能が効果的に発揮され好ましい。
（８）また、前記（１）項〜（７）項のいずれかに記載の体形補整機能を有する衣料において、衣料が、ショーツ、ガードル、ボディスーツ、レオタード、水着から選ばれたヒップ部を有する衣料である本発明の好ましい態様とすることにより、これらの衣料は身体に密着して着用されるタイプの衣料であり、体形補整機能を有しながらも、段差が少なく肌当たりが良好で、本発明の機能が効果的に発揮される衣料であり好ましい。
（９）また、前記（１）項〜（７）項のいずれかに記載の体形補整機能を有する衣料においては、伸縮性の経編地からなる前記部片が、ヒップ部もしくはヒップ部と脇部を充当するヒップ部充当部片、前脇部とヒップ部ならびにその両者間の脇部を充当する前脇−脇−後充当部片から選ばれた部片であることが好ましい。ヒップ部は丸みを帯びた立体形状であるが、伸縮パワーの変化する領域の伸縮パワーの切り替えラインの方向を、ヒップ部の立体形状にフィットできるよう衣料を設計する場合においても、縁始末不要な縁のラインの方向が、伸縮パワーの変化する領域の伸縮パワーの切り替えラインの方向に拘束されることなく、必要に応じた好ましい方向に設計できる。従って、衣料として最適の着用性、デザイン性を有する体形補整機能を有する衣料とすることが可能になり好ましい。
（１０）また、前記（９）項に記載の体形補整機能を有する衣料において、衣料が、ショーツ又はガードルであり、当該ショーツ又はガードルの裾部及びウェストライン部が裁断されたままの状態で縁始末不要な縁からなり、当該裾部、ウェストライン部から選ばれたいずれか一方の縁のラインの方向が、当該部片の当該伸縮パワーが変化する領域の伸縮パワーの切り替えラインの方向と相互に非平行である本発明の好ましい態様とすることにより、特に、ショーツ又はガードルは、ヒップ部の体形補整機能や腹部の形状補整機能が必要とされる衣料であり、伸縮パワーの変化する領域の伸縮パワーの切り替えラインの方向を、かかる部分の体形補整に好都合な方向に設定して衣料を設計する場合においても、裁断されたままの状態で縁始末不要な縁を有する当該裾部またはウェストライン部のいずれか一方の縁のラインの方向を、伸縮パワーの変化する領域の伸縮パワーの切り替えラインの方向に拘束されることなく、必要に応じた好ましい方向に設計できる。従って、衣料として最適の着用性、デザイン性を有する体形補整機能を有する衣料とすることが可能になり好ましい。
（１１）また、前記（９）項に記載の体形補整機能を有する衣料において、衣料が、ショーツ又はガードルであり、当該ショーツ又はガードルの裾部及びウェストライン部が裁断されたままの状態で縁始末不要な縁からなり、当該裾部、ウェストライン部の縁のラインの方向のいずれもが、当該部片の当該伸縮パワーが変化する領域の伸縮パワーの切り替えラインの方向と相互に非平行である本発明の好ましい態様とすることにより、特に、ショーツ又はガードルは、ヒップ部の体形補整機能や腹部の形状補整機能が必要とされる衣料であり、伸縮パワーの変化する領域の伸縮パワーの切り替えラインの方向を、かかる部分の体形補整に好都合な方向で設定して衣料を設計する場合においても、裁断されたままの状態で縁始末不要な縁を有する当該裾部及びウェストライン部のいずれの縁のラインの方向も、伸縮パワーの変化する領域の伸縮パワーの切り替えラインの方向に拘束されることなく、必要に応じた好ましい方向に設計できる。従って、衣料として最適の着用性、デザイン性を有する体形補整機能を有する衣料とすることが可能になり極めて好ましい。
（１２）また、前記（１）項〜（１１）項のいずれかに記載の体形補整機能を有する衣料において、衣料が、ショーツ又はガードルであり、当該ショーツ又はガードルの少なくとも後側のウェストライン部が裁断されたままの状態で縁始末不要な縁からなり、前記後側のウェストラインの一部を底辺とし、後中心線の下方に頂点を有していて後中心線で左右ほぼ線対称の逆三角形状の領域が伸縮パワーの強い領域からなり、前記逆三角形状の領域の底辺の長さが、前記後側のウェストラインの長さの１／４〜２／３の長さであり、前記逆三角形状の領域のウェストラインから前記逆三角形の頂点までの後中心線上における長さが、当該ショーツ又はガードルのウェストラインからクロッチ部までの後中心線の長さの１／４〜２／３の長さである本発明の好ましい態様とすることにより、この逆三角形状の伸縮パワーの強い領域が当接される部分は、身体後側で身体が窪んでいる領域であり、より具体的には身体の仙骨部位近傍は、身体が窪んでいるが、これら身体後側の窪んでいる部位へのフィット性を向上でき好ましい。
（１３）また、前記（９）項〜（１２）項のいずれかに記載の体形補整機能を有する衣料において、衣料が、ショーツ又はガードルであり、伸縮性の経編地からなる前記部片の伸縮パワーの弱い領域が、ヒップの膨らみ部をカバーし、当該部片の伸縮パワーの強い領域がヒップの膨らみの脇側から下方を充当するように、伸縮パワーの切り替えラインがヒップの脇側から後中心側に向かって斜めに下がる向きのラインとなっている本発明の好ましい態様とすることにより、ヒップの膨らみをつぶさずに、美しいヒップの丸みを保持しながらヒップの立体形状にフィットでき、且つヒップアップ機能が発揮され、更に前述の効果を有する体形補整機能を有する衣料が提供でき好ましい。
（１４）また、前記（１）項〜（６）項のいずれかに記載の体形補整機能を有する衣料において、衣料が、ブラジャーである本発明の好ましい態様とすることにより、ブラジャーにおいても、伸縮パワーの変化する領域の伸縮パワーの切り替えラインの方向と、縁始末不要な縁のラインの方向とが、必然的に平行になってしまうと言う拘束がなく、それぞれ必要に応じた方向に設計し、ブラジャーとして最適の着用性、デザイン性を有するブラジャーとすることが可能になる。縁始末不要な縁となっている部分は、折り返して縫合するなどの縁始末がされていないので、その部分の厚みがフラットになり、分厚くならず、従って、着用感に優れ、当該部分の段差がないので、アウターウェアーに段差が反映することもない。また、伸縮パワーの変化する領域も弾性糸の編み込みによって形成されているので、段差が生じることがなく、アウターウェアーに段差が反映することもないし、すっきりした胸部シルエットを実現できる。また、縁始末不要な縁は、縁始末をする必要がないので、コスト的にも有利になる。従って、機能性、ファッション性、経済性に優れた衣料とすることができ好ましい。
（１５）また、前記（１）項〜（５）項のいずれかに記載の体形補整機能を有する衣料において、衣料が、ブラジャーであって、ブラジャーのバック布が、伸縮性の経編地からなる前記部片からなり、当該バック布の上下の縁が、裁断されたままの状態で縁始末不要な縁からなっており、前記バック布の伸縮パワーの切り替えラインの方向が前記バック布の上または下のいずれか一方の縁のラインの方向と相互に非平行となっている本発明の好ましい態様とすることにより、伸縮パワーの変化する領域の伸縮パワーの切り替えラインの方向と、縁始末不要な縁のラインの方向とを、それぞれ必要に応じた好適な方向に比較的自由に設計でき、ブラジャーとして好適な着用性、デザイン性を有するブラジャーとすることが可能になり好ましい。
（１６）また、前記（１）項〜（５）項のいずれかに記載の体形補整機能を有する衣料において、衣料が、ブラジャーであって、ブラジャーのバック布が、伸縮性の経編地からなる前記部片からなり、当該バック布の上下の縁が、裁断されたままの状態で縁始末不要な縁からなっており、前記バック布の伸縮パワーの切り替えラインの方向が、前記バック布の上下両方の縁のラインの方向と相互に非平行となっている本発明の好ましい態様とすることにより、伸縮パワーの変化する領域の伸縮パワーの切り替えラインの方向と、縁始末不要な縁のラインの方向とを、それぞれ必要に応じた方向に極めて自由に設計でき、ブラジャーとして好適な着用性、デザイン性を有するブラジャーとすることが可能になり好ましい。
（１７）また、前記（４）項〜（５）項のいずれかに記載の体形補整機能を有する衣料において、裁断されたままの状態で縁始末不要な縁からなる衣料上端の縁が、ショーツ又はガードルのウェストライン部の少なくとも一部又はブラジャーのバック布の上側の縁であり、また、裁断されたままの状態で縁始末不要な縁からなる衣料下端の縁が、ショーツ又はガードルの裾部又はブラジャーのバック布の下側の縁である本発明の好ましい態様とすることにより、裁断されたままの状態で縁始末不要な上記それぞれの縁の身体へのフィット性が向上し、当該縁部分が、着用者に身体外側にカールすることを防止でき好ましい。
（１８）また、前記（１）項〜（１７）項のいずれかに記載の体形補整機能を有する衣料において、非弾性糸として、ブライト糸とダル糸を使用し、ブライト糸を編み込んだ部分とダル糸を編み込んだ部分を編み分けにより形成し、所望箇所にブライト糸とダル糸の光沢の差異による、線状ないし帯状の目視可能な模様が形成されている本発明の好ましい態様とすることにより、染色の有無にかかわらず縞模様が形成でき、衣料の美感を一層向上させることができ好ましい。
（１９）また、前記（１８）項に記載の体形補整機能を有する衣料において、弾性糸の太さ、編み込み本数の少なくともいずれかを変えた伸縮パワーの異なる複数の領域の各領域に同時に編み込まれている非弾性糸を、それぞれブライト糸とダル糸を使い分けて使用することにより、伸縮パワーの相違部分を目視可能な模様部分にしてなる本発明の好ましい態様とすることにより、伸縮パワーの強弱の線状ないし帯状の目視可能な模様が現れ、デザイン上、衣料の美感を向上させると同時に、その伸縮パワーの強弱の機能領域を視認できるようになり好ましい。
（２０）また、前記（１）項〜（１９）項のいずれかに記載の体形補整機能を有する衣料において、裁断されたままの状態で縁始末不要な縁を有し、且つ編み方向に対しほぼ直角の方向に伸縮パワーが変化する領域とを同時に１枚の編地中に有する伸縮性の経編地からなる部片を構成する生地が、非弾性糸と弾性糸とを同行させた１×１編み組織であって、かつ各編針において非弾性糸と弾性糸のうちの少なくとも１方が閉じ目により編成された伸縮性経編地からなる本発明の好ましい態様とすることにより、かかる伸縮性経編地は、裁断されたままの状態でもほつれが生じない縁始末不要な縁とすることが容易に実現でき好ましい。
（２１）また、前記（２０）項に記載の体形補整機能を有する衣料において、前記伸縮性経編地が、１８０℃以上の温度においてプレセット、ヒートセットから選ばれた少なくとも１種のセットが施されている伸縮性経編地である本発明の好ましい態様とすることにより、裁断されたままの状態でもほつれが更に生じにくい縁始末不要な縁とすることができ好ましい。
（２２）また、前記（２０）項〜（２１）項のいずれかに記載の体形補整機能を有する衣料において、前記伸縮性経編地が、２．５４ｃｍ（１インチ）当たり６５ウエールを超える密度に編成されている伸縮性経編地である本発明の好ましい態様とすることにより、裁断されたままの状態でもほつれが更に生じにくい縁始末不要な縁とすることができ好ましい。
（２３）また、前記（２０）項〜（２１）項のいずれかに記載の体形補整機能を有する衣料において、裁断されたままの状態で縁始末不要な縁が、前記の伸縮性経編地の編み方向に対し４５度を超えない範囲の角度で裁断されている縁である本発明の好ましい態様とすることにより、裁断されたままの状態でもほつれが更に生じにくい縁始末不要な縁とすることができ好ましい。
以上、本発明の衣料は、縁始末不要な縁を有する衣料であって、伸縮パワーの変化する領域の伸縮パワーの切り替えラインの方向と、縁始末不要な縁の方向とを、平行せずに、それぞれの必要に応じた方向に設計し得る衣料を提供でき、各種の体型補整機能を有する衣料に適用できる。
【図１】
0003634859.tif 000003
【図２】
0003634859.tif 000004
【図３】
0003634859.tif 000005
【図４】
0003634859.tif 000006
【図５】
0003634859.tif 000007
【図６】
0003634859.tif 000008
【図７】
0003634859.tif 000009
【図８】
0003634859.tif 000010
【図９】
0003634859.tif 000011
【図１０】
0003634859.tif 000012
【図１１】
0003634859.tif 000013
【図１２】
0003634859.tif 000014
【図１３】
0003634859.tif 000015
【図１４】
0003634859.tif 000016
【図１５】
0003634859.tif 000017
【図１６】
0003634859.tif 000018
【図１７】
0003634859.tif 000019
【図１８】
0003634859.tif 000020
【図１９】
0003634859.tif 000021
【図２０】
0003634859.tif 000022
【図２１】
0003634859.tif 000023
【図２２】
0003634859.tif 000024
【図２３】
0003634859.tif 000025
【図２４】
0003634859.tif 000026
【図２５】
0003634859.tif 000027
【図２６】
0003634859.tif 000028
【図２７】
0003634859.tif 000029
【図２８】
0003634859.tif 000030
【図２９】
0003634859.tif 000031
【図３０】
0003634859.tif 000032
【図３１】
0003634859.tif 000033
【図３２】
0003634859.tif 000034
【図３３】
0003634859.tif 000035
【図３４】
0003634859.tif 000036
【図３５】
0003634859.tif 000037
【図３６】
0003634859.tif 000038
【図３７】
0003634859.tif 000039